(57)【要約】【課題】  マルチレート化を実現するのに必要な制御情報を含むパイロット信号のスペクトル拡散変調信号の送信電力を適正化して、送信データの伝送品質の劣化を抑制する。【解決手段】  パイロット信号から抽出された制御情報をスペクトル拡散変調するとともに、そのスペクトル拡散変調信号の送信電力を当該制御情報に応じて調整するパイロット変調部１６を設け、２N個の直交符号系列に応じて、送信データからＭ個のスペクトル拡散変調信号を生成するとともに、Ｍ個のスペクトル拡散変調信号とパイロット変調部１６により送信電力が調整されたスペクトル拡散変調信号を多重化する。【選択図】        図１
2006352677.tif 000002
【特許請求の範囲】
【請求項１】
対向側のスペクトル拡散送受信機から送信された無線周波数信号を受信し、その無線周波数信号をベースバンド信号に変換する受信手段と、上記受信手段により変換されたベースバンド信号に含まれている受信データを復調するとともに、そのベースバンド信号に含まれているパイロット信号を復調する復調手段と、上記復調手段により復調されたパイロット信号からスペクトル拡散変調信号の多重数と符号系列の個数を示す制御情報を抽出し、その制御情報にしたがって複数個の符号系列を決定する符号系列決定手段と、上記符号系列決定手段によりパイロット信号から抽出された制御情報をスペクトル拡散変調するとともに、そのスペクトル拡散変調信号の送信電力を当該制御情報に応じて調整するパイロット変調手段と、上記符号系列決定手段により決定された複数個の符号系列に応じて、送信データから複数のスペクトル拡散変調信号を生成するとともに、複数のスペクトル拡散変調信号と上記パイロット変調手段により送信電力が調整されたスペクトル拡散変調信号を多重化し、その多重スペクトル拡散変調信号を出力するマルチレート変調手段と、上記マルチレート変調手段から出力された多重スペクトル拡散変調信号を無線周波数信号に変換し、その無線周波数信号を送信する送信手段とを備えたスペクトル拡散送受信機。
【請求項２】
パイロット変調手段は、符号系列決定手段により抽出された制御情報をスペクトル拡散変調し、そのスペクトル拡散変調信号を出力する拡散変調手段と、上記符号系列決定手段により抽出された制御情報に応じて、そのスペクトル拡散変調信号の送信電力を決定する送信電力決定手段と、上記拡散変調手段から出力されたスペクトル拡散変調信号の送信電力が上記送信電力決定手段により決定された送信電力と一致するように、そのスペクトル拡散変調信号の送信電力を調整する電力調整手段とから構成されていることを特徴とする請求項１記載のスペクトル拡散送受信機。
【請求項３】
送信電力決定手段は、符号系列決定手段により今回抽出された制御情報が、上記符号系列決定手段により前回抽出された制御情報と変化がない場合、スペクトル拡散変調信号の送信電力を零値に決定することを特徴とする請求項２記載のスペクトル拡散送受信機。
【請求項４】
マルチレート変調手段は、シリアルデータである送信データをビット単位に分離して、Ｍ個のビットデータを出力する第１のＳ／Ｐ変換手段と、上記第１のＳ／Ｐ変換手段から出力されたＭ個のビットデータに対する符号化処理を実施するＭ個の符号化処理手段と、上記符号化処理手段により符号化されたビットデータをビット単位に分離して、Ｎ個のビットデータを出力する第２のＳ／Ｐ変換手段と、符号系列決定手段により決定された複数個の符号系列の中から、上記第２のＳ／Ｐ変換手段から出力されたＮ個のビットデータの系列に対応する直交符号系列を選択するＭ個の直交符号選択手段と、上記直交符号選択手段により選択された直交符号系列をスペクトル拡散変調し、そのスペクトル拡散変調信号に相互に異なる遅延量を与えるＭ個の遅延手段と、上記遅延手段により遅延量が与えられたＭ個のスペクトル拡散変調信号とパイロット変調手段により送信電力が調整されたスペクトル拡散変調信号を多重化し、その多重スペクトル拡散変調信号を出力する合成手段とから構成されていることを特徴とする請求項１記載のスペクトル拡散送受信機。
【請求項５】
マルチレート変調手段は、シリアルデータである送信データをビット単位に分離して、Ｊ個のビットデータを出力する第１のＳ／Ｐ変換手段と、上記第１のＳ／Ｐ変換手段から出力されたＪ個のビットデータに対する符号化処理を実施するＪ個の符号化処理手段と、上記符号化処理手段により符号化されたビットデータをビット単位に分離して、（Ｎ×Ｈ）個のビットデータを出力するＪ個の第２のＳ／Ｐ変換手段と、上記第２のＳ／Ｐ変換手段から出力された（Ｎ×Ｈ）個のビットデータのうち、Ｎ個のビットデータを入力して、符号系列決定手段により決定された複数個の符号系列の中からＮ個のビットデータの系列に対応する直交符号系列を選択するＭ（＝Ｈ×Ｊ）個の直交符号選択手段と、上記直交符号選択手段により選択された直交符号系列をスペクトル拡散変調し、そのスペクトル拡散変調信号に相互に異なる遅延量を与えるＭ個の遅延手段と、上記遅延手段により遅延量が与えられたＭ個のスペクトル拡散変調信号とパイロット変調手段により送信電力が調整されたスペクトル拡散変調信号を多重化し、その多重スペクトル拡散変調信号を出力する合成手段とから構成されていることを特徴とする請求項１記載のスペクトル拡散送受信機。
【請求項６】
マルチレート変調手段は、シリアルデータである送信データをビット単位に分離して、Ｍ個のビットデータを出力する第１のＳ／Ｐ変換手段と、上記第１のＳ／Ｐ変換手段から出力されたＭ個のビットデータに対する符号化処理を実施するＭ個の符号化処理手段と、上記符号化処理手段により符号化されたビットデータをビット単位に分離して、Ｎ個のビットデータを出力する第２のＳ／Ｐ変換手段と、符号系列決定手段により決定された複数個の符号系列の中から、上記第２のＳ／Ｐ変換手段から出力されたＮ個のビットデータの系列に対応する直交符号系列を選択するＭ個の直交符号選択手段と、上記直交符号選択手段により選択された直交符号系列をスペクトル拡散変調し、そのスペクトル拡散変調信号に相互に異なる周波数偏差を与えるＭ個の周波数偏差付与手段と、上記周波数偏差付与手段により周波数偏差が与えられたＭ個のスペクトル拡散変調信号とパイロット変調手段により送信電力が調整されたスペクトル拡散変調信号を多重化し、その多重スペクトル拡散変調信号を出力する合成手段とから構成されていることを特徴とする請求項１記載のスペクトル拡散送受信機。
【請求項７】
マルチレート変調手段は、シリアルデータである送信データをビット単位に分離して、Ｍ個のビットデータを出力する第１のＳ／Ｐ変換手段と、上記第１のＳ／Ｐ変換手段から出力されたＭ個のビットデータに対する符号化処理を実施するＭ個の符号化処理手段と、上記符号化処理手段により符号化されたビットデータをビット単位に分離して、Ｎ個のビットデータを出力する第２のＳ／Ｐ変換手段と、符号系列決定手段により決定された複数個の符号系列の中から、上記第２のＳ／Ｐ変換手段から出力されたＮ個のビットデータの系列に対応する拡散符号系列を選択するＭ個の拡散符号選択手段と、上記拡散符号選択手段により選択された拡散符号系列をスペクトル拡散変調し、そのスペクトル拡散変調信号に相互に異なる遅延量を与えるＭ個の遅延手段と、上記遅延手段により遅延量が与えられたＭ個のスペクトル拡散変調信号とパイロット変調手段により送信電力が調整されたスペクトル拡散変調信号を多重化し、その多重スペクトル拡散変調信号を出力する合成手段とから構成されていることを特徴とする請求項１記載のスペクトル拡散送受信機。
【請求項８】
Ｍ個の遅延手段は、Ｍ個のスペクトル拡散変調信号の同相多重数が略均等になるように、当該スペクトル拡散変調信号に移相量を与えることを特徴とする請求項４、請求項５または請求項７記載のスペクトル拡散送受信機。
【請求項９】
パイロット変調手段は、自装置の姿勢及び位置を検出し、その検出信号と制御情報からなる系列をスペクトル拡散変調することを特徴とする請求項１記載のスペクトル拡散送受信機。
【請求項１０】
対向側のスペクトル拡散送受信機から送信された無線周波数信号を受信し、その無線周波数信号を多重スペクトル拡散変調信号に変換する受信手段と、上記受信手段により変換された多重スペクトル拡散変調信号に含まれているパイロット信号を復調して、そのパイロット信号から無線周波数信号の回線品質を測定し、その回線品質に応じてスペクトル拡散変調信号の多重数と符号系列の個数を決定するマルチレート制御手段と、上記マルチレート制御手段により決定されたスペクトル拡散変調信号の多重数と符号系列の個数に応じて、上記受信手段により変換された多重スペクトル拡散変調信号に含まれている受信データをマルチレート復調するマルチレート復調手段と、上記マルチレート制御手段により決定されたスペクトル拡散変調信号の多重数と符号系列の個数を示す制御情報を含むパイロット信号を変調するとともに、送信データを変調し、そのパイロット信号の変調信号と送信データの変調信号とを多重化する変調手段と、上記変調手段により多重化された変調信号を無線周波数信号に変換し、その無線周波数信号を送信する送信手段とを備えたスペクトル拡散送受信機。
【請求項１１】
マルチレート復調手段は、受信手段により変換された多重スペクトル拡散変調信号を分配して、Ｍ個のスペクトル拡散変調信号を出力する分配手段と、上記分配手段から出力されたＭ個のスペクトル拡散変調信号の遅延量が同じになるように、当該スペクトル拡散変調信号の遅延量を補正するＭ個の補正手段と、上記補正手段による補正後のスペクトル拡散変調信号と複数の直交符号系列との相関処理を実施して、その相関信号を出力するＭ個の相関処理手段と、上記相関処理手段から出力された相関信号を参照して、Ｎビットの復号データを出力するＭ個の復号化処理手段と、上記Ｍ個の復号化処理手段から出力されたＮビットの復号データをシリアルデータに変換するＰ／Ｓ変換手段とから構成されていることを特徴とする請求項１０記載のスペクトル拡散送受信機。
【請求項１２】
マルチレート復調手段は、受信手段により変換された多重スペクトル拡散変調信号を分配して、Ｍ（＝Ｈ×Ｊ）個のスペクトル拡散変調信号を出力する分配手段と、上記分配手段から出力されたＭ個のスペクトル拡散変調信号の遅延量が同じになるように、当該スペクトル拡散変調信号の遅延量を補正するＭ個の補正手段と、上記補正手段による補正後のスペクトル拡散変調信号と複数の直交符号系列との相関処理を実施して、その相関信号を出力するＭ個の相関処理手段と、上記相関処理手段から出力された相関信号の系列をシリアルデータに変換する第１のＰ／Ｓ変換手段と、上記第１のＰ／Ｓ変換手段によりシリアルデータに変換された相関信号を参照して、Ｎビットの復号データを出力するＪ個の復号化処理手段と、上記Ｊ個の復号化処理手段から出力されたＮビットの復号データをシリアルデータに変換する第２のＰ／Ｓ変換手段とから構成されていることを特徴とする請求項１０記載のスペクトル拡散送受信機。
【請求項１３】
マルチレート復調手段は、受信手段により変換された多重スペクトル拡散変調信号を分配して、Ｍ個のスペクトル拡散変調信号を出力する分配手段と、上記分配手段から出力されたＭ個のスペクトル拡散変調信号の周波数偏差が同じになるように、当該スペクトル拡散変調信号の周波数偏差を補正するＭ個の補正手段と、上記補正手段による補正後のスペクトル拡散変調信号と複数の直交符号系列との相関処理を実施して、その相関信号を出力するＭ個の相関処理手段と、上記相関処理手段から出力された相関信号を参照して、Ｎビットの復号データを出力するＭ個の復号化処理手段と、上記Ｍ個の復号化処理手段から出力されたＮビットの復号データをシリアルデータに変換するＰ／Ｓ変換手段とから構成されていることを特徴とする請求項１０記載のスペクトル拡散送受信機。
【請求項１４】
マルチレート復調手段は、受信手段により変換された多重スペクトル拡散変調信号を分配して、Ｍ個のスペクトル拡散変調信号を出力する分配手段と、上記分配手段から出力されたＭ個のスペクトル拡散変調信号の遅延量が同じになるように、当該スペクトル拡散変調信号の遅延量を補正するＭ個の補正手段と、上記補正手段による補正後のスペクトル拡散変調信号と複数の拡散符号系列との相関処理を実施して、その相関信号を出力するＭ個の相関処理手段と、上記相関処理手段から出力された相関信号を参照して、Ｎビットの復号データを出力するＭ個の復号化処理手段と、上記Ｍ個の復号化処理手段から出力されたＮビットの復号データをシリアルデータに変換するＰ／Ｓ変換手段とから構成されていることを特徴とする請求項１０記載のスペクトル拡散送受信機。
【請求項１５】
Ｍ個の補正手段は、Ｍ個のスペクトル拡散変調信号が同相になるように、当該スペクトル拡散変調信号の移相量を補正することを特徴とする請求項１１、請求項１２または請求項１４記載のスペクトル拡散送受信機。
【請求項１６】
マルチレート制御手段は、対向側のスペクトル拡散通信装置の姿勢及び位置を示す検出信号がパイロット信号に含まれている場合、その姿勢と位置を考慮してスペクトル拡散変調信号の多重数と符号系列の個数を決定することを特徴とする請求項１０記載のスペクトル拡散送受信機。
【請求項１７】
対向側のスペクトル拡散送受信機から送信された無線周波数信号を受信し、その無線周波数信号をベースバンド信号に変換する受信手段と、上記受信手段により変換されたベースバンド信号に含まれている受信データを復調するとともに、そのベースバンド信号に含まれているパイロット信号を復調する復調手段と、上記復調手段により復調されたパイロット信号からスペクトル拡散変調信号の多重数と符号系列の個数を示す制御情報を抽出し、その制御情報にしたがって複数個の符号系列を決定する符号系列決定手段と、上記符号系列決定手段によりパイロット信号から抽出された制御情報をスペクトル拡散変調するとともに、そのスペクトル拡散変調信号の送信電力を当該制御情報に応じて調整するパイロット変調手段と、上記符号系列決定手段により決定された複数個の符号系列に応じて、送信データから複数のスペクトル拡散変調信号を生成するとともに、複数のスペクトル拡散変調信号と上記パイロット変調手段により送信電力が調整されたスペクトル拡散変調信号を多重化し、その多重スペクトル拡散変調信号を出力するマルチレート変調手段と、上記マルチレート変調手段から出力された多重スペクトル拡散変調信号を無線周波数信号に変換し、その無線周波数信号を送信する送信手段とを有する第１のスペクトル拡散送受信機と、上記第１のスペクトル拡散送受信機から送信された無線周波数信号を受信し、その無線周波数信号を多重スペクトル拡散変調信号に変換する受信手段と、上記受信手段により変換された多重スペクトル拡散変調信号に含まれているパイロット信号を復調して、そのパイロット信号から無線周波数信号の回線品質を測定し、その回線品質に応じてスペクトル拡散変調信号の多重数と符号系列の個数を決定するマルチレート制御手段と、上記マルチレート制御手段により決定されたスペクトル拡散変調信号の多重数と符号系列の個数に応じて、上記受信手段により変換された多重スペクトル拡散変調信号に含まれている受信データをマルチレート復調するマルチレート復調手段と、上記マルチレート制御手段により決定されたスペクトル拡散変調信号の多重数と符号系列の個数を示す制御情報を含むパイロット信号を変調するとともに、送信データを変調し、そのパイロット信号の変調信号と送信データの変調信号とを多重化する変調手段と、上記変調手段により多重化された変調信号を無線周波数信号に変換し、その無線周波数信号を送信する送信手段とを有する第２のスペクトル拡散送受信機とを備えた通信システム。
【発明の詳細な説明】
【技術分野】
【０００１】
この発明は、直接拡散（ＤＳ：Ｄｉｒｅｃｔ  Ｓｅｑｕｅｎｃｅ）方式によるスペクトル拡散変調を実施し、そのスペクトル拡散変調信号の多重数を可変にして、伝送速度をマルチレート化して送信する移動局におけるスペクトル拡散送受信機と、移動局におけるスペクトル拡散送受信機から送信されたスペクトル拡散変調信号を多重数に対応させて復調する基地局におけるスペクトル拡散送受信機と、移動局におけるスペクトル拡散送受信機と基地局におけるスペクトル拡散送受信機がデータを送受信する通信システムとに関するものである。
【背景技術】
【０００２】
近年、移動体通信システムや衛星通信システムでは、画像、音声、データなど、種類の異なる情報信号を伝送する方式の一つとしてスペクトル拡散通信方式を用いた符号分割多元接続（ＣＤＭＡ）通信方式が実用化されている。
スペクトル拡散通信方式には、ＤＳ方式や周波数ホッピング（ＦＨ：Ｆｒｅｑｕｅｎｃｙ  Ｈｏｐｐｉｎｇ）方式などがある。
このうち、ＤＳ方式は、情報信号に比べて遥かに広帯域の拡散符号系列を情報信号に直接乗算することにより、その情報信号をスペクトル拡散して通信を行う方式である。
【０００３】
上記のＤＳ方式を利用して、情報信号の伝送速度を可変にして、マルチレート通信を実現するスペクトル拡散送受信機が存在する。
従来のスペクトル拡散送受信機は、マルチレート通信を実現するため、可変速度情報などの制御情報を送信データに挿入し、その送信データをスペクトル拡散変調して対向側のスペクトル拡散送受信機に送信するようにしている。あるいは、送信データと別個に可変速度情報などの制御情報をスペクトル拡散変調し、そのスペクトル拡散変調信号を送信データのスペクトル拡散変調信号と多重化して対向側のスペクトル拡散送受信機に送信するようにしている（例えば、特許文献１参照）。
【０００４】
【特許文献１】特表２００２−５２５９６９号公報（段落番号［００５０］から［００６９］、図１６）
【発明の開示】
【発明が解決しようとする課題】
【０００５】
従来のスペクトル拡散送受信機は以上のように構成されているので、送信データの伝送速度をマルチレート化するには、その送信データ以外に可変速度情報などの制御情報を対向側のスペクトル拡散送受信機に伝達する必要がある。しかし、送信データのスペクトル拡散信号の多重数が増減しても、その制御情報のスペクトル拡散変調信号の送信電力を調整することができないため、例えば、送信データのスペクトル拡散変調信号の多重数が少なくなると、送信データのスペクトル拡散変調信号が制御情報のスペクトル拡散変調信号と比べて、送信電力が相対的に小さくなり、送信データの伝送品質が劣化することがあるなどの課題があった。
【０００６】
この発明は上記のような課題を解決するためになされたもので、マルチレート化を実現するのに必要な制御情報を含むパイロット信号のスペクトル拡散変調信号の送信電力を適正化して、送信データの伝送品質の劣化を抑制することができるスペクトル拡散送受信機及び通信システムを得ることを目的とする。
【課題を解決するための手段】
【０００７】
この発明に係るスペクトル拡散送受信機は、符号系列決定手段によりパイロット信号から抽出された制御情報をスペクトル拡散変調するとともに、そのスペクトル拡散変調信号の送信電力を当該制御情報に応じて調整するパイロット変調手段を設け、その符号系列決定手段により決定された複数個の符号系列に応じて、送信データから複数のスペクトル拡散変調信号を生成するとともに、複数のスペクトル拡散変調信号とパイロット変調手段により送信電力が調整されたスペクトル拡散変調信号を多重化し、その多重スペクトル拡散変調信号を無線周波数信号に変換して送信するようにしたものである。
【発明の効果】
【０００８】
この発明によれば、符号系列決定手段によりパイロット信号から抽出された制御情報をスペクトル拡散変調するとともに、そのスペクトル拡散変調信号の送信電力を当該制御情報に応じて調整するパイロット変調手段を設け、その符号系列決定手段により決定された複数個の符号系列に応じて、送信データから複数のスペクトル拡散変調信号を生成するとともに、複数のスペクトル拡散変調信号とパイロット変調手段により送信電力が調整されたスペクトル拡散変調信号を多重化し、その多重スペクトル拡散変調信号を無線周波数信号に変換して送信するように構成したので、その制御情報を含むパイロット信号のスペクトル拡散変調信号の送信電力を適正化して、送信データの伝送品質の劣化を抑制することができる効果がある。
【発明を実施するための最良の形態】
【０００９】
実施の形態１．
図１はこの発明の実施の形態１による通信システムを示す構成図であり、図において、通信システムは移動局１におけるスペクトル拡散送受信機と基地局２におけるスペクトル拡散送受信機から構成されている。
移動局１の受信部１２はアンテナ１１が基地局２から送信された無線周波数信号を受信すると、その無線周波数信号をベースバンド信号に変換する処理を実施する。
なお、アンテナ１１及び受信部１２から受信手段が構成されている。
【００１０】
移動局１のデータ復調部１３は受信部１２から出力されたベースバンド信号に含まれている受信データを復調する処理を実施する。
移動局１のパイロット復調部１４は受信部１２から出力されたベースバンド信号に含まれているパイロット信号を復調する処理を実施する。
なお、データ復調部１３及びパイロット復調部１４から復調手段が構成されている。
【００１１】
移動局１のマルチレート制御部１５はパイロット復調部１４により復調されたパイロット信号からスペクトル拡散変調信号の多重数Ｍと直交符号系列の個数２Nと符号化率Ｒを示す制御情報を抽出し、その制御情報にしたがって２N個の直交符号系列を決定して、２N個の直交符号系列とスペクトル拡散変調信号の多重数Ｍと符号化率Ｒとをマルチレート変調部１７に出力する処理を実施する。なお、マルチレート制御部１５は符号系列決定手段を構成している。
移動局１のパイロット変調部１６はマルチレート制御部１５により抽出された制御情報をスペクトル拡散変調するとともに、そのスペクトル拡散変調信号の送信電力を当該制御情報に応じて調整する処理を実施する。なお、パイロット変調部１６はパイロット変調手段を構成している。
【００１２】
移動局１のマルチレート変調部１７は送信データを入力すると、マルチレート制御部１５により決定された２N個の直交符号系列に応じて、送信データからＭ個のスペクトル拡散変調信号を生成するとともに、Ｍ個のスペクトル拡散変調信号とパイロット変調部１６により送信電力が調整されたスペクトル拡散変調信号を多重化し、その多重スペクトル拡散変調信号を出力する処理を実施する。なお、マルチレート変調部１７はマルチレート変調手段を構成している。
移動局１の送信部１８はマルチレート変調部１７から出力された多重スペクトル拡散変調信号を無線周波数信号に変換し、アンテナ１１から当該無線周波数信号を空中に放射する処理を実施する。
なお、送信部１８及びアンテナ１１から送信手段が構成されている。
【００１３】
基地局２の受信部２２はアンテナ２１が移動局１から送信された無線周波数信号を受信すると、その無線周波数信号を多重スペクトル拡散変調信号に変換する処理を実施する。
なお、アンテナ２１及び受信部２２から受信手段が構成されている。
基地局２のパイロット復調部２３は受信部２２により変換された多重スペクトル拡散変調信号に含まれているパイロット信号を復調し、そのパイロット信号から制御情報を抽出して、その制御情報を伝送速度判定部２５に出力するとともに、そのパイロット信号から回線品質測定用の受信情報を抽出して、その回線品質測定用の受信情報を回線品質測定部２４に出力する処理を実施する。
【００１４】
基地局２の回線品質測定部２４はパイロット復調部２３から出力された回線品質測定用の受信情報から無線周波数信号の回線品質を測定する処理を実施する。
基地局２の伝送速度判定部２５は回線品質測定部２４により測定された回線品質とパイロット復調部２３から出力された制御情報を参照して、所定の伝送品質を満足することが可能な移動局１の送信側の伝送速度の最大値を判別する処理を実施する。
基地局２のマルチレート制御部２６は伝送速度判定部２５により判別された伝送速度の最大値からスペクトル拡散変調信号の多重数Ｍと直交符号系列の個数２Nと符号化率Ｒを決定するとともに、２N個の直交符号系列を決定する処理を実施する。
なお、パイロット復調部２３、回線品質測定部２４、伝送速度判定部２５及びマルチレート制御部２６からマルチレート制御手段が構成されている。
【００１５】
基地局２のマルチレート復調部２７はマルチレート制御部２６により決定されたスペクトル拡散変調信号の多重数Ｍと直交符号系列の個数２Nと符号化率Ｒに応じて、受信部２２により変換された多重スペクトル拡散変調信号に含まれている受信データをマルチレート復調して、Ｋ（＝Ｎ×Ｍ）ビットの復号データを出力する処理を実施する。なお、マルチレート復調部２７はマルチレート復調手段を構成している。
基地局２のパイロット変調部２８はマルチレート制御部２６により決定されたスペクトル拡散変調信号の多重数Ｍと直交符号系列の個数２Nと符号化率Ｒを示す制御情報を変調し、その変調信号をデータ変調部２９に出力する処理を実施する。
基地局２のデータ変調部２９は送信データを変調するとともに、その変調信号とパイロット変調部２８から出力された変調信号を多重化する処理を実施する。
なお、パイロット変調部２８及びデータ変調部２９から変調手段が構成されている。
【００１６】
基地局２の送信部３０はデータ変調部２９により多重化された変調信号を受けると、その変調信号を無線周波数信号に変換し、アンテナ２１から当該無線周波数信号を空中に放射する処理を実施する。
なお、送信部３０及びアンテナ２１から送信手段が構成されている。
【００１７】
図２はこの発明の実施の形態１による移動局１におけるスペクトル拡散通信装置の要部詳細を示す構成図であり、図において、マルチレート制御部１５の多重数制御部３１はパイロット復調部１４により復調されたパイロット信号から制御情報を抽出し、その制御情報が示すスペクトル拡散変調信号の多重数Ｍを可変シリアル／パラレル変換部５１、多重数可変合成部５９及び送信出力制御部４４に出力する処理を実施する。
マルチレート制御部１５の直交符号数制御部３２はパイロット復調部１４により復調されたパイロット信号から制御情報を抽出し、その制御情報が示す直交符号系列の個数２Nから２N個の直交符号系列を決定し、２N個の直交符号系列の系列情報及び系列数を直交符号選択部５４−１〜５４−Ｍ、Ｓ／Ｐ部５３−１〜５３−Ｍ及び送信出力制御部４４に出力する処理を実施する。
マルチレート制御部１５の符号化率制御部３３はパイロット復調部１４により復調されたパイロット信号から制御情報を抽出し、その制御情報が示す符号化率Ｒを符号化部５２−１〜５２−Ｍ及び送信出力制御部４４に出力する処理を実施する。
【００１８】
パイロット変調部１６のフレーミング部４１は多重数制御部３１、直交符号数制御部３２及び符号化率制御部３３から出力される制御情報を所定のフレームフォーマットに整えて出力する処理を実施する。
パイロット変調部１６の拡散符号発生部４２は拡散符号発生部５５から出力される拡散符号系列とは異なる系列であって、チップ周期がＴｃで符号長がＧの拡散符号系列を繰り返し出力する処理を実施する。
パイロット変調部１６の拡散変調部４３は拡散符号発生部４２から出力された拡散符号系列と、フレーミング部４１から出力された制御情報を含むデータ系列とを乗算することによりスペクトル拡散変調を実施し、そのスペクトル拡散変調信号を出力可変部４５に出力する処理を実施する。
なお、フレーミング部４１、拡散符号発生部４２及び拡散変調部４３から拡散変調手段が構成されている。
【００１９】
パイロット変調部１６の送信出力制御部４４は多重数制御部３１、直交符号数制御部３２及び符号化率制御部３３から出力された制御情報に応じて、出力可変部４５から出力されるスペクトル拡散変調信号の送信電力を決定する処理を実施する。なお、送信出力制御部４４は送信電力決定手段を構成している。
パイロット変調部１６の出力可変部４５は拡散変調部４３から出力されたスペクトル拡散信号の送信電力が、送信出力制御部４４により決定された送信電力と一致するように、そのスペクトル拡散変調信号の送信電力を調整する処理を実施する。なお、出力可変部４５は電力調整手段を構成している。
【００２０】
マルチレート変調部１７の可変シリアル／パラレル変換部５１はシリアルデータである送信データをビット単位に分離して、Ｍ個のビットデータを出力する処理を実施する。なお、可変シリアル／パラレル変換部５１は第１のＳ／Ｐ変換手段を構成している。
マルチレート変調部１７の符号化部５２−１〜５２−Ｍは可変シリアル／パラレル変換部５１から出力されたＭ個のビットデータに対する符号化処理を実施する。なお、符号化部５２−１〜５２−Ｍは符号化処理手段を構成している。
マルチレート変調部１７のＳ／Ｐ部５３−１〜５３−Ｍは符号化部５２−１〜５２−Ｍにより符号化されたビットデータをビット単位に分離して、Ｎ個のビットデータを出力する処理を実施する。なお、Ｓ／Ｐ部５３−１〜５３−Ｍは第２のＳ／Ｐ変換手段を構成している。
マルチレート変調部１７の直交符号選択部５４−１〜５４−Ｍは直交符号数制御部３２により決定された２N個の直交符号系列の中から、Ｓ／Ｐ部５３−１〜５３−Ｍから出力されたＮ個のビットデータの系列に対応する直交符号系列を選択する処理を実施する。なお、直交符号選択部５４−１〜５４−Ｍは直交符号選択手段を構成している。
【００２１】
マルチレート変調部１７の拡散符号発生部５５はチップ周期がＴｃで符号長がＧである拡散符号系列を繰り返し出力する処理を実施する。
マルチレート変調部１７の拡散変調部５６−１〜５６−Ｍは直交符号選択部５４−１〜５４−Ｍにより選択された直交符号系列に拡散符号発生部５５から出力された拡散符号系列を乗算することにより、その直交符号系列をスペクトル拡散変調して、そのスペクトル拡散変調信号を出力する処理を実施する。
マルチレート変調部１７の遅延生成部５７−１〜５７−Ｍは拡散変調部５６−１〜５６−Ｍから出力されたスペクトル拡散変調信号に相互に異なる遅延量を与える処理を実施する。
【００２２】
マルチレート変調部１７の移相部５８−１〜５８−ＭはＭ個のスペクトル拡散変調信号の同相多重数が略均等になるように、当該スペクトル拡散変調信号に移相量を与える処理を実施する。
なお、拡散符号発生部５５、拡散変調部５６−１〜５６−Ｍ、遅延生成部５７−１〜５７−Ｍ及び移相部５８−１〜５８−Ｍから遅延手段が構成されている。
マルチレート変調部１７の多重数可変合成部５９は移相部５８−１〜５８−Ｍから出力されたスペクトル拡散変調信号とパイロット変調部１６の出力可変部４５から出力されたスペクトル拡散変調信号を多重化して、多重スペクトル拡散変調信号を出力する処理を実施する。なお、多重数可変合成部５９は合成手段を構成している。
【００２３】
送信部１８の周波数変換部６１はマルチレート変調部１７から出力された多重スペクトル拡散変調信号を無線周波数信号に変換し、その無線周波数信号を電力増幅部６２に出力する処理を実施する。
送信部１８の電力増幅部６２は周波数変換部６１から出力された無線周波数信号の電力を増幅してアンテナ１１に出力する処理を実施する。
【００２４】
図３はこの発明の実施の形態１による基地局２におけるスペクトル拡散通信装置の要部詳細を示す構成図であり、図において、受信部２２の低雑音増幅部７１はアンテナ２１が移動局１から送信された無線周波数信号を受信すると、その無線周波数信号の電力を増幅する処理を実施する。
受信部２２の周波数変換部７２は低雑音増幅部７１による電力増幅後の無線周波数信号の周波数を変換する処理を実施する。
受信部２２の直交検波部７３は周波数変換部７２による周波数変換後の無線周波数信号に対する直交検波を実施して、Ｉチャネル及びＱチャネルの受信ベースバンド信号（多重スペクトル拡散変調信号）を出力する。
【００２５】
パイロット復調部２３の初期捕捉部８１は直交検波部７３から出力されたＩチャネル及びＱチャネルの受信ベースバンド信号からパイロット信号を抽出し、そのパイロット信号を用いて初期捕捉動作を実施して、移動局１の拡散変調部５６−１〜５６−Ｍで乗算された拡散符号系列の符号同期のタイミングを獲得する。
パイロット復調部２３の拡散符号発生部８２は移動局１の拡散符号発生部４２から出力される拡散符号系列と同一の符号系列、即ち、チップ周期がＴｃで符号長Ｇの拡散符号系列を繰り返し出力する処理を実施する。
パイロット復調部２３の逆拡散処理部８３はＩチャネル及びＱチャネルの受信ベースバンド信号に多重化されているパイロット信号と、拡散符号発生部８２から出力された拡散符号系列とを乗算して相関処理を実施し、Ｉチャネル及びＱチャネルの相関信号を出力する処理を実施する。
【００２６】
パイロット復調部２３のデータ復調部８４は逆拡散処理部８３から出力されたＩチャネル及びＱチャネルの相関信号に基づくデータ判定を実施して復調データを出力する処理を実施する。
パイロット復調部２３のデフレーミング部８５はデータ復調部８４から出力された復調データに対するデフレーミング処理を実施して、その復調データから制御情報を抽出し、その制御情報を伝送速度判定部２５に出力する処理を実施する。
【００２７】
マルチレート制御部２６の多重数制御部９１は伝送速度判定部２５により判別された伝送速度の最大値からスペクトル拡散変調信号の多重数Ｍを決定して、その多重数Ｍを多重数可変分配部１０１及び可変パラレル／シリアル変換部１０８に出力する処理を実施する。
マルチレート制御部２６の直交符号数制御部９２は伝送速度判定部２５により判別された伝送速度の最大値から直交符号系列の個数２Nを決定して、２N個の直交符号系列を決定し、２N個の直交符号系列の系列情報及び系列数を部分相関処理部１０５−１〜１０５−Ｍ及び逆直交変換部１０６−１〜１０６−Ｍに出力する処理を実施する。
マルチレート制御部２６の符号化率制御部９３は伝送速度判定部２５により判別された伝送速度の最大値から符号化率Ｒを決定し、その符号化率Ｒを復号化部１０７−１〜１０７−Ｍに出力する処理を実施する。
【００２８】
マルチレート復調部２７の多重数可変分配部１０１は受信部２２から出力されたＩチャネル及びＱチャネルの受信ベースバンド信号を分配（多重スペクトル拡散変調信号の多重数Ｍだけ受信ベースバンド信号を分配）して、Ｍ個の受信ベースバンド信号を出力する処理を実施する。なお、多重数可変分配部１０１は分配手段を構成している。
マルチレート復調部２７の遅延補正部１０２−１〜１０２−Ｍは多重数可変分配部１０１により分配されたＭ個の受信ベースバンド信号の遅延量が同じになるように、当該受信ベースバンド信号の遅延量を補正する処理を実施する。
マルチレート復調部２７の移相補正部１０３−１〜１０３−ＭはＭ個の受信ベースバンド信号が同相になるように、当該受信ベースバンド信号の移相量を補正する処理を実施する。なお、遅延補正部１０２−１〜１０２−Ｍ及び移相補正部１０３−１〜１０３−Ｍから補正手段が構成されている。
【００２９】
マルチレート復調部２７の拡散符号発生部１０４は初期捕捉部８１から出力された符号同期タイミングに同期して、移動局１の拡散符号発生部５５から出力される拡散符号系列と同一の拡散符号系列（チップ周期がＴｃ、符号長がＧである拡散符号系列）を出力する処理を実施する。
マルチレート復調部２７の部分相関処理部１０５−１〜１０５−Ｍは移相補正部１０３−１〜１０３−Ｍによる補正後の受信ベースバンド信号と拡散符号発生部１０４から出力された拡散符号系列との部分相関処理を実施して、その部分相関信号を出力する処理を実施する。
マルチレート復調部２７の逆直交変換部１０６−１〜１０６−Ｍは部分相関処理部１０５−１〜１０５−Ｍから出力された部分相関信号と直交符号数制御部９２により決定された２N個の直交符号系列との相関処理を実施して、その相関処理信号を出力する処理を実施する。
なお、拡散符号発生部１０４、部分相関処理部１０５−１〜１０５−Ｍ及び逆直交変換部１０６−１〜１０６−Ｍから相関処理手段が構成されている。
【００３０】
マルチレート復調部２７の復号化部１０７−１〜１０７−Ｍは逆直交変換部１０６−１〜１０６−Ｍから出力された相関処理信号を参照して、符号化率制御部９３から出力された符号化率Ｒに対応する誤り訂正の復号化処理を実施することにより復号データを出力する処理を実施する。なお、復号化部１０７−１〜１０７−Ｍは復号化処理手段を構成している。
マルチレート復調部２７の可変パラレル／シリアル変換部１０８は復号化部１０７−１〜１０７−Ｍから出力されたＫ（＝Ｎ×Ｍ）ビットの復号データをシリアルデータに変換する処理を実施する。なお、可変パラレル／シリアル変換部１０８はＰ／Ｓ変換手段を構成している。
【００３１】
次に動作について説明する。
まず、移動局１の受信部１２は、アンテナ１１が基地局２から送信された無線周波数信号を受信すると、その無線周波数信号をベースバンド信号に変換し、そのベースバンド信号を出力する。
移動局１のデータ復調部１３は、受信部１２からベースバンド信号を受けると、そのベースバンド信号に含まれている受信データを復調し、その受信データを出力する。
移動局１のパイロット復調部１４は、受信部１２が無線周波数信号をベースバンド信号に変換すると、そのベースバンド信号に含まれているパイロット信号を復調する。詳細は後述するが、ベースバンド信号に含まれているパイロット信号の変調信号は、スペクトル拡散変調信号の多重数Ｍと直交符号系列の個数２Nと符号化率Ｒを示す制御情報が変調されている信号であり、基地局２のパイロット変調部２８で生成される。
【００３２】
移動局１のマルチレート制御部１５は、パイロット復調部１４がパイロット信号を復調すると、そのパイロット信号から制御情報を抽出する。
そして、マルチレート制御部１５は、その制御情報にしたがって２N個の直交符号系列を決定し、２N個の直交符号系列とスペクトル拡散変調信号の多重数Ｍと符号化率Ｒとをマルチレート変調部１７に出力する。
マルチレート制御部１５の具体的な処理内容は次の通りである。
【００３３】
移動局１におけるマルチレート制御部１５の多重数制御部３１は、パイロット復調部１４がパイロット信号を復調すると、そのパイロット信号から制御情報を抽出し、その制御情報が示すスペクトル拡散変調信号の多重数Ｍを可変シリアル／パラレル変換部５１、多重数可変合成部５９及び送信出力制御部４４に出力する。
また、移動局１におけるマルチレート制御部１５の直交符号数制御部３２は、パイロット復調部１４がパイロット信号を復調すると、そのパイロット信号から制御情報を抽出し、その制御情報を参照することによって、スペクトル拡散変調に必要な直交符号系列の個数２Nを認識する。
そして、２N個の直交符号系列Ｗｎ（ｎ＝０〜２N−１；符号長Ｌ＝２N）を決定して、２N個の直交符号系列Ｗｎを直交符号選択部５４−１〜５４−Ｍ、Ｓ／Ｐ部５３−１〜５３−Ｍ及び送信出力制御部４４に出力する。
また、移動局１におけるマルチレート制御部１５の符号化率制御部３３は、パイロット復調部１４がパイロット信号を復調すると、そのパイロット信号から制御情報を抽出し、その制御情報が示す符号化率Ｒを符号化部５２−１〜５２−Ｍ及び送信出力制御部４４に出力する。
【００３４】
移動局１のパイロット変調部１６は、マルチレート制御部１５から制御情報（スペクトル拡散変調信号の多重数Ｍ、２N個の直交符号系列Ｗｎ、符号化率Ｒ）を受けると、その制御情報をスペクトル拡散変調するとともに、そのスペクトル拡散変調信号の送信電力を当該制御情報に応じて調整し、電力調整後のスペクトル拡散変調信号をマルチレート変調部１７に出力する。
パイロット変調部１６の具体的な処理内容は次の通りである。
【００３５】
パイロット変調部１６のフレーミング部４１は、マルチレート制御部１５から制御情報（スペクトル拡散変調信号の多重数Ｍ、２N個の直交符号系列Ｗｎ、符号化率Ｒ）を受けると、その制御情報を所定のフレームフォーマットに整えて出力する。
パイロット変調部１６の拡散符号発生部４２は、拡散符号発生部５５から出力される拡散符号系列とは異なる系列であって、チップ周期がＴｃで符号長がＧの拡散符号系列を繰り返し出力する。
パイロット変調部１６の拡散変調部４３は、フレーミング部４１から制御情報を含むデータ系列を受けると、その制御情報を含むデータ系列と拡散符号発生部４２から出力された拡散符号系列とを乗算することによりスペクトル拡散変調を実施し、そのスペクトル拡散変調信号を出力可変部４５に出力する。
【００３６】
パイロット変調部１６の送信出力制御部４４は、マルチレート制御部１５から制御情報（スペクトル拡散変調信号の多重数Ｍ、２N個の直交符号系列Ｗｎ、符号化率Ｒ）を受けると、その制御情報に応じて、出力可変部４５から出力されるスペクトル拡散変調信号の送信電力を決定する。
例えば、スペクトル拡散変調信号の多重数Ｍが多い場合には、出力可変部４５から出力される制御情報のスペクトル拡散変調信号の送信電力が多少大きくても、相対的には制御情報のスペクトル拡散変調信号の送信電力が小さくなるが、スペクトル拡散変調信号の多重数Ｍが少ない場合には、出力可変部４５から出力される制御情報のスペクトル拡散変調信号の送信電力を小さくしないと、相対的に制御情報のスペクトル拡散変調信号の送信電力が大きくなるので、送信出力制御部４４は、スペクトル拡散変調信号の多重数Ｍが少なければ、出力可変部４５から出力されるスペクトル拡散変調信号の送信電力を小さな値に決定し、スペクトル拡散変調信号の多重数Ｍが多ければ、出力可変部４５から出力されるスペクトル拡散変調信号の送信電力を大きな値に決定する。
【００３７】
ここでは、出力可変部４５から出力されるスペクトル拡散変調信号の送信電力とスペクトル拡散変調信号の多重数Ｍが比例関係を有するように、その送信電力を決定するものについて示したが、比例関係に限るものではなく、他の線形な関係を考慮して、その送信電力を決定するようにしてもよい。
また、出力可変部４５から出力されるスペクトル拡散変調信号の送信電力と２N個の直交符号系列Ｗｎや符号化率Ｒの線形な関係を考慮して、その送信電力を決定するようにしてもよい。
また、ここでは、出力可変部４５から出力されるスペクトル拡散変調信号の送信電力とスペクトル拡散変調信号の多重数Ｍが比例関係を有するように、その送信電力を決定するものについて示したが、マルチレート制御部１５から今回出力された制御情報と、マルチレート制御部１５から前回出力された制御情報とを比較し、両者が同一である場合（制御情報に変化がない場合）、送信データの伝送速度を変える必要がなく、その制御情報を対向側のスペクトル拡散送受信機に伝達する必要がないので、出力可変部４５から出力されるスペクトル拡散変調信号の送信電力を零値に決定し、制御情報に変化がある場合に限り、出力可変部４５から出力されるスペクトル拡散変調信号の送信電力を零値以外に決定するようにしてもよい。
【００３８】
パイロット変調部１６の出力可変部４５は、拡散変調部４３から出力されたスペクトル拡散信号の送信電力が、送信出力制御部４４により決定された送信電力と一致するように、そのスペクトル拡散変調信号の送信電力を調整し、電力調整後のスペクトル拡散変調信号をマルチレート変調部１７に出力する。
【００３９】
移動局１のマルチレート変調部１７は、送信データを入力すると、マルチレート制御部１５により決定された２N個の直交符号系列に応じて、送信データからＭ個のスペクトル拡散変調信号を生成するとともに、Ｍ個のスペクトル拡散変調信号とパイロット変調部１６により送信電力が調整されたスペクトル拡散変調信号を多重化し、その多重スペクトル拡散変調信号を出力する。
マルチレート変調部１７の具体的な処理内容は下記の通りである。
【００４０】
マルチレート変調部１７の可変シリアル／パラレル変換部５１は、送信データであるシリアルデータを受け、多重数制御部３１からスペクトル拡散変調信号の多重数Ｍを受けると、そのシリアルデータのうちのＭビットをパラレルデータに分離して、Ｍ個のビットデータを出力する。
マルチレート変調部１７の符号化部５２−１〜５２−Ｍは、可変シリアル／パラレル変換部５１からＭ個のビットデータを受けると、そのビットデータに対する符号化処理を実施する。
即ち、符号化部５２−１〜５２−Ｍは、Ｍ個のビットデータの誤り訂正を行うために、例えば、畳込み符号化器を用いて、そのビットデータに対する符号化率Ｒの畳込み符号化処理を実施する。
マルチレート変調部１７のＳ／Ｐ部５３−１〜５３−Ｍは、符号化部５２−１〜５２−Ｍにより符号化されたビットデータを受けると、そのビットデータをビット単位に分離して、Ｎ個のビットデータ（パラレルデータ）を出力する。
【００４１】
マルチレート変調部１７の直交符号選択部５４−１〜５４−Ｍは、Ｓ／Ｐ部５３−１〜５３−ＭからＮ個のビットデータを入力すると、直交符号数制御部３２により決定された２N個の直交符号系列の中から、Ｎ個のビットデータの系列に対応する直交符号系列Ｗｎを選択する。
即ち、直交符号選択部５４−１〜５４−Ｍは、例えば、予め、Ｎ個のビットデータの系列に対応する直交符号系列Ｗｎが格納されたテーブルを記憶しておき、そのテーブルを参照して、２N個の直交符号系列の中から、Ｎ個のビットデータの系列に対応する直交符号系列Ｗｎを一つ選択する。
なお、直交符号系列では、同じ符号語間（Ｗｉ，Ｗｊ；ｉ＝ｊ）の相関値はＬ（Ｌ＝２N）となり、異なる符号語間（Ｗｉ，Ｗｊ；ｉ≠ｊ）の相関値は０となる。
【００４２】
マルチレート変調部１７の拡散符号発生部５５は、チップ周期がＴｃで符号長がＧである拡散符号系列を繰り返し出力する。
マルチレート変調部１７の拡散変調部５６−１〜５６−Ｍは、直交符号選択部５４−１〜５４−ＭがＮ個のビットデータの系列に対応する直交符号系列Ｗｎを選択すると、その直交符号系列Ｗｎに拡散符号発生部５５から出力された拡散符号系列を乗算することにより、その直交符号系列をスペクトル拡散変調して、そのスペクトル拡散変調信号を出力する。
なお、スペクトル拡散変調に際しては、拡散符号系列の符号周期と直交符号の符号周期が等しくなるように乗算する。
【００４３】
マルチレート変調部１７の遅延生成部５７−１〜５７−Ｍは、拡散変調部５６−１〜５６−Ｍからスペクトル拡散変調信号を受けると、基地局２において、Ｍ個の相関ピークを得ることができるようにするため、Ｍ個のスペクトル拡散変調信号に相互に異なる遅延量を与える。
即ち、拡散周期Ｇを超えない範囲内で、相互に異なるＭ個の遅延量ｎＴｃ（ｎ＝ｎ１，ｎ２，・・・，ｎＭ；０≦ｎ１＜ｎ２＜・・・＜ｎＭ＜Ｇ）を用意し、Ｍ個のスペクトル拡散変調信号に異なる遅延量ｎＴｃを与える。
【００４４】
マルチレート変調部１７の移相部５８−１〜５８−Ｍは、遅延生成部５７−１〜５７−ＭがＭ個のスペクトル拡散変調信号に相互に異なる遅延量を与えると、遅延後のＭ個のスペクトル拡散変調信号の同相多重数が略均等になるように、Ｍ個のスペクトル拡散変調信号に対して、直交軸（Ｉ−Ｑ軸）におけるＩ軸を基準にした移相量を与える。
例えば、遅延量ｎＴｃ（ｎ＝ｎ１，ｎ２，・・・，ｎＰ；０≦ｎ１＜ｎ２＜・・・＜ｎＰ）を有するスペクトル拡散変調信号に対しては、０°の移相量を与え、遅延量ｎＴｃ（ｎ＝ｎＰ＋１，ｎＰ＋２，・・・，ｎＭ；０≦ｎＰ＋１＜ｎＰ＋２＜・・・＜ｎＭ＜Ｇ）を有するスペクトル拡散変調信号に対しては、９０°の移相量を与える。
なお、同相多重数Ｐは、それぞれの移相量における多重数がほぼ均等になるように決定する。
【００４５】
マルチレート変調部１７の多重数可変合成部５９は、移相部５８−１〜５８−Ｍから移相量が与えられたＭ個のスペクトル拡散変調信号を受け、多重数制御部３１からスペクトル拡散変調信号の多重数Ｍを受けると、Ｍ個のスペクトル拡散変調信号とパイロット変調部１６の出力可変部４５から出力されたパイロット変調信号を多重化し、その多重スペクトル拡散変調信号を出力する。
【００４６】
移動局１における送信部１８の周波数変換部６１は、マルチレート変調部１７から多重スペクトル拡散変調信号を受けると、その多重スペクトル拡散変調信号を無線周波数信号に変換する。
移動局１における送信部１８の電力増幅部６２は、周波数変換部６１から出力された無線周波数信号の電力を増幅してアンテナ１１に出力する。
これにより、無線周波数信号が基地局２に伝送される。
【００４７】
基地局２における受信部２２の低雑音増幅部７１は、アンテナ２１が移動局１から送信された無線周波数信号を受信すると、その無線周波数信号の電力を増幅する。
基地局２における受信部２２の周波数変換部７２は、低雑音増幅部７１による電力増幅後の無線周波数信号の周波数を変換する。
基地局２における受信部２２の直交検波部７３は、周波数変換部７２による周波数変換後の無線周波数信号に対する直交検波を実施することにより、Ｉチャネル及びＱチャネルの受信ベースバンド信号を検出する。
【００４８】
基地局２のパイロット復調部２３は、受信部２２がＩチャネル及びＱチャネルの受信ベースバンド信号を検出すると、Ｉチャネル及びＱチャネルの受信ベースバンド信号に含まれているパイロット信号を復調し、そのパイロット信号から制御情報を抽出して、その制御情報を伝送速度判定部２５に出力するとともに、そのパイロット信号から回線品質測定用の受信情報を抽出して、その回線品質測定用の受信情報を回線品質測定部２４に出力する。
パイロット復調部２３の具体的な処理内容は次の通りである。
【００４９】
パイロット復調部２３の初期捕捉部８１は、直交検波部７３からＩチャネル及びＱチャネルの受信ベースバンド信号を受けると、その受信ベースバンド信号からパイロット信号を抽出する。
そして、そのパイロット信号を用いて初期捕捉動作を実施することにより、移動局１の拡散変調部５６−１〜５６−Ｍで乗算された拡散符号系列の符号同期のタイミングを獲得する。
パイロット復調部２３の拡散符号発生部８２は、移動局１の拡散符号発生部４２から出力される拡散符号系列と同一の符号系列、即ち、チップ周期がＴｃで符号長Ｇの拡散符号系列を繰り返し出力する。
【００５０】
パイロット復調部２３の逆拡散処理部８３は、Ｉチャネル及びＱチャネルの受信ベースバンド信号に多重化されているパイロット信号と、拡散符号発生部８２から出力される拡散符号系列とを乗算して相関処理を実施し、Ｉチャネル及びＱチャネルの相関信号を出力する。
なお、逆拡散処理部８３は、Ｉチャネル及びＱチャネルの相関信号を回線品質測定用の受信情報として回線品質測定部２４に出力する。
パイロット復調部２３のデータ復調部８４は、逆拡散処理部８３からＩチャネル及びＱチャネルの相関信号を受けると、その相関信号に基づくデータ判定を実施して復調データを出力する。
パイロット復調部２３のデフレーミング部８５は、データ復調部８４から復調データを受けると、その復調データに対するデフレーミング処理を実施して、その復調データから制御情報を抽出し、その制御情報を伝送速度判定部２５に出力する。
即ち、スペクトル拡散変調信号の多重数Ｍと直交符号系列の個数２Nと符号化率Ｒを示す制御情報を伝送速度判定部２５に出力する。
【００５１】
基地局２におけるマルチレート復調部２７は、受信部２２からＩチャネル及びＱチャネルの受信ベースバンド信号を受けると、Ｉチャネル及びＱチャネルの受信ベースバンド信号を入力して、Ｎビットの復号データをＭ個出力し、Ｋ（＝Ｎ×Ｍ）ビットの復号データをシリアルデータに変換して出力する。
マルチレート復調部２７の具体的な処理内容は下記の通りである。
【００５２】
マルチレート復調部２７の拡散符号発生部１０４は、初期捕捉部８１が拡散符号系列の符号同期タイミングを獲得すると、その符号同期タイミングに同期して、移動局１の拡散符号発生部５５から出力される拡散符号系列と同一の拡散符号系列を出力する。
即ち、チップ周期がＴｃで、符号長がＧである拡散符号系列を繰り返し出力する。
マルチレート復調部２７の多重数可変分配部１０１は、受信部２２からＩチャネル及びＱチャネルの受信ベースバンド信号を受け、後述する多重数制御部９１からスペクトル拡散変調信号の多重数Ｍを受けると、Ｉチャネル及びＱチャネルの受信ベースバンド信号を分配（多重スペクトル拡散変調信号の多重数Ｍだけ受信ベースバンド信号を分配）して、Ｍ個の受信ベースバンド信号を出力する。
【００５３】
マルチレート復調部２７の遅延補正部１０２−１〜１０２−Ｍは、多重数可変分配部１０１からＭ個の受信ベースバンド信号を受けると、Ｍ個の受信ベースバンド信号の遅延量が同じになるように、当該受信ベースバンド信号の遅延量を補正する。
例えば、移動局１の遅延生成部５７−１〜５７−Ｍにより与えられた遅延量ｎＴｃ（ｎ＝ｎ１，ｎ２，・・・，ｎＭ；０≦ｎ１＜ｎ２＜・・・＜ｎＭ＜Ｇ）に対して、遅延補正部１０２−１〜１０２−Ｍにおける遅延補正量をそれぞれ（ｎＭ−ｎ１）Ｔｃ，（ｎＭ−ｎ２）Ｔｃ，・・・，（ｎＭ−ｎＭ）Ｔｃとして、Ｍ個の受信ベースバンド信号の遅延量を補正する。
【００５４】
マルチレート復調部２７の移相補正部１０３−１〜１０３−Ｍは、遅延補正部１０２−１〜１０２−ＭがＭ個の受信ベースバンド信号の遅延量を補正すると、Ｍ個の受信ベースバンド信号が同相になるように、当該受信ベースバンド信号の移相量を補正する。
例えば、移動局１の移相部５８−１〜５８−Ｍが遅延量ｎＴｃ（ｎ＝ｎ１，ｎ２，・・・，ｎＰ；０≦ｎ１＜ｎ２＜・・・＜ｎＰ）を有するスペクトル拡散変調信号に対して、０°の移相量を与え、遅延量ｎＴｃ（ｎ＝ｎＰ＋１，ｎＰ＋２，・・・，ｎＭ；０≦ｎＰ＋１＜ｎＰ＋２＜・・・＜ｎＭ＜Ｇ）を有するスペクトル拡散変調信号に対して、９０°の移相量を与えた場合、移相補正部１０３−１〜１０３−Ｍにおける移相補正部１０３−１〜１０３−Ｐは、移相補正量を０°にして移相補正し、移相補正部１０３−Ｐ＋１〜１０３−Ｍは、移相補正量を−９０°にして移相補正する。
【００５５】
マルチレート復調部２７の部分相関処理部１０５−１〜１０５−Ｍは、移相補正部１０３−１〜１０３−Ｍから移相補正された受信ベースバンド信号を受け、拡散符号発生部１０４から拡散符号系列を受けると、その受信ベースバンド信号と拡散符号系列との部分相関処理を実施して、その部分相関信号を出力する。
即ち、部分相関処理部１０５−１〜１０５−Ｍは、後述する直交符号数制御部９２から２N（＝Ｌ）個の直交符号系列Ｗｎを受けると、その拡散符号系列の符号長Ｇを直交符号系列の符号長Ｌで、ほぼ均等になるように分割して、Ｌ個の分割拡散符号系列を生成する。
また、移相補正後の受信ベースバンド信号における拡散符号周期の１周期分をＬ個に分割し、Ｌ個の分割受信ベースバンド信号を生成する。
そして、Ｌ個の分割拡散符号系列とＬ個の分割受信ベースバンド信号との部分相関処理を実施して、Ｌ個の部分相関信号を出力する。
【００５６】
マルチレート復調部２７の逆直交変換部１０６−１〜１０６−Ｍは、部分相関処理部１０５−１〜１０５−ＭからＬ個の部分相関信号を受け、直交符号数制御部９２から直交符号系列Ｗｎ（ｎ＝０〜２N−１）を受けると、Ｌ個の部分相関信号と直交符号系列Ｗｎとの相関処理を実施して、Ｉチャネル及びＱチャネルに対応するＬ個の相関処理信号を出力する。
【００５７】
マルチレート復調部２７の復号化部１０７−１〜１０７−Ｍは、逆直交変換部１０６−１〜１０６−ＭからＬ個の相関処理信号を受けると、Ｌ個の相関処理信号を参照して、誤り訂正に対する復号化処理を実施して復号データを出力する。
例えば、復号化部１０７−１〜１０７−Ｍは、移動局１の直交符号選択部５４−１〜５４−Ｍと同様に、予め、Ｎビットの復調データ（Ｎ個のビットデータの系列）に対応する直交符号系列Ｗｎが格納されたテーブルを記憶しておき、２N個の直交符号系列に対応するＬ個の相関処理信号を参照して、符号化率Ｒに対応するビタビアルゴリズムによる復号処理を実施し、そのテーブルを参照して、移動局１から送信された直交符号系列Ｗｎに対応するＮビットの復号データを一つ選択して出力する。
【００５８】
マルチレート復調部２７の可変パラレル／シリアル変換部１０８は、復号化部１０７−１〜１０７−ＭからＮビットの復号データを受け、多重数制御部９１からスペクトル拡散変調信号の多重数Ｍを受けると、Ｍ個の復号データをシリアルデータに変換することにより、Ｎ×Ｍビットのシリアルデータである受信データを出力する。
【００５９】
基地局２の回線品質測定部２４は、マルチレート復調部２７から回線品質測定用の受信情報を受けると、その回線品質測定用の受信情報から無線周波数信号の回線品質を測定する。例えば、Ｓ／Ｎ比などを測定する。
基地局２の伝送速度判定部２５は、回線品質測定部２４が無線周波数信号の回線品質を測定すると、その無線周波数信号の回線品質とパイロット復調部２３により分離された制御情報を参照して、基地局２側で所要の伝送品質を満足することが可能な移動局１の送信側の伝送速度の最大値を判別する。
【００６０】
基地局２におけるマルチレート制御部２６の多重数制御部９１は、伝送速度判定部２５が伝送速度の最大値を判別すると、その伝送速度の最大値からスペクトル拡散変調信号の多重数Ｍを決定し、その多重数Ｍを多重数可変分配部１０１及び可変パラレル／シリアル変換部１０８に出力する。
基地局２におけるマルチレート制御部２６の直交符号数制御部９２は、伝送速度判定部２５により判別された伝送速度の最大値から直交符号系列の個数２Nを決定して、２N個の直交符号系列Ｗｎを決定し、２N個の直交符号系列Ｗｎを部分相関処理部１０５−１〜１０５−Ｍ及び逆直交変換部１０６−１〜１０６−Ｍに出力する。
基地局２におけるマルチレート制御部２６の符号化率制御部９３は、伝送速度判定部２５により判別された伝送速度の最大値から符号化率Ｒを決定し、その符号化率Ｒを復号化部１０７−１〜１０７−Ｍに出力する。
【００６１】
基地局２のデータ変調部２９は、送信データを受けると、その送信データを変調するとともに、その変調信号とパイロット変調部２８から出力された変調信号を多重化する。
基地局２の送信部３０は、データ変調部２９から多重化された変調信号を受けると、その変調信号を無線周波数信号に変換し、その無線周波数信号をアンテナ２１に出力する。
これにより、無線周波数信号が移動局１に伝送される。
【００６２】
移動局１は、基地局２から無線周波数信号を受信すると、上述したように、その無線周波数信号の周波数を変換してベースバンド信号を得たのち、そのベースバンド信号を復調して、スペクトル拡散変調信号の多重数Ｍと直交符号系列の個数２Nと符号化率Ｒを示す制御情報を抽出する。
そして、移動局１は、その制御情報にしたがって送信側のスペクトル拡散変調信号の多重数Ｍと２N個の直交符号系列Ｗｎと符号化率Ｒとを設定して、マルチレート通信を確立する。
【００６３】
以上で明らかなように、この実施の形態１によれば、マルチレート制御部１５によりパイロット信号から抽出された制御情報をスペクトル拡散変調するとともに、そのスペクトル拡散変調信号の送信電力を当該制御情報に応じて調整するパイロット変調部１６を設け、そのマルチレート制御部１５により決定された２N個の直交符号系列に応じて、送信データからＭ個のスペクトル拡散変調信号を生成するとともに、Ｍ個のスペクトル拡散変調信号とパイロット変調部１６により送信電力が調整されたスペクトル拡散変調信号を多重化し、その多重スペクトル拡散変調信号を無線周波数信号に変換して送信するように構成したので、その制御情報を含むパイロット信号のスペクトル拡散変調信号の送信電力を適正化して、送信データの伝送品質の劣化を抑制することができる効果を奏する。
【００６４】
また、この実施の形態１によれば、マルチレート制御部１５により今回抽出された制御情報が、マルチレート制御部１５により前回抽出された制御情報と変化がない場合、送信出力制御部４４が制御情報を含むパイロット信号のスペクトル拡散変調信号の送信電力を零値に決定するように構成したので、送信データの伝送速度に変化がない場合には、制御情報を含むパイロット信号が送信されず、送信データの伝送品質を確保することができる効果を奏する。
なお、基地局２側では、制御情報を含むパイロット信号が送信されない場合、前回と同様の伝送速度でデータが送信されるものとして処理を実施することになる。
【００６５】
実施の形態２．
図４はこの発明の実施の形態２による移動局１におけるスペクトル拡散通信装置の要部詳細を示す構成図であり、図において、図２と同一符号は同一または相当部分を示すので説明を省略する。
マルチレート制御部１５の多重数制御部３１はパイロット復調部１４により復調されたパイロット信号から制御情報を抽出し、その制御情報が示すスペクトル拡散変調信号の多重数Ｍ（＝Ｈ×Ｊ）を可変シリアル／パラレル変換部５１、Ｓ／Ｐ部５３−１〜５３−Ｊ、多重数可変合成部５９及び送信出力制御部４４に出力する処理を実施する。
マルチレート制御部１５の直交符号数制御部３２はパイロット復調部１４により復調されたパイロット信号から制御情報を抽出し、その制御情報が示す直交符号系列の個数２Nから２N個の直交符号系列を決定し、２N個の直交符号系列の系列情報及び系列数を直交符号選択部５４−１（１）〜５４−Ｈ（１）、５４−１（２）〜５４−Ｈ（２）、‥、５４−１（Ｊ）〜５４−Ｈ（Ｊ）、Ｓ／Ｐ部５３−１〜５３−Ｊ及び送信出力制御部４４に出力する処理を実施する。
マルチレート制御部１５の符号化率制御部３３はパイロット復調部１４により復調されたパイロット信号から制御情報を抽出し、その制御情報が示す符号化率Ｒを符号化部５２ａ−１〜５２ａ−Ｊ及び送信出力制御部４４に出力する処理を実施する。
【００６６】
マルチレート変調部１７の可変シリアル／パラレル変換部５１はシリアルデータである送信データをビット単位に分離して、Ｊ個のビットデータを出力する処理を実施する。
マルチレート変調部１７の符号化部５２ａ−１〜５２ａ−Ｊは可変シリアル／パラレル変換部５１から出力されたＪ個のビットデータに対する符号化処理を実施する。なお、符号化部５２ａ−１〜５２ａ−Ｊは符号化処理手段を構成している。
マルチレート変調部１７のＳ／Ｐ部５３−１〜５３−Ｊは符号化部５２ａ−１〜５２ａ−Ｊにより符号化されたビットデータをビット単位に分離して、（Ｎ×Ｈ）個のビットデータを出力する処理を実施する。なお、Ｓ／Ｐ部５３−１〜５３−Ｊは第２のＳ／Ｐ変換手段を構成している。
【００６７】
マルチレート変調部１７の直交符号選択部５４−１（１）〜５４−Ｈ（１）、５４−１（２）〜５４−Ｈ（２）、‥、５４−１（Ｊ）〜５４−Ｈ（Ｊ）はＳ／Ｐ部５３−１〜５３−Ｊから出力された（Ｎ×Ｈ）個のビットデータのうち、Ｎ個のビットデータを入力して、直交符号数制御部３２により決定された２N個の直交符号系列の中から、Ｎ個のビットデータの系列に対応する直交符号系列を選択する処理を実施する。なお、直交符号選択部５４−１（１）〜５４−Ｈ（１）、５４−１（２）〜５４−Ｈ（２）、‥、５４−１（Ｊ）〜５４−Ｈ（Ｊ）は直交符号選択手段を構成している。
マルチレート変調部１７の拡散変調部５６−１（１）〜５６−Ｈ（１）、５６−１（２）〜５６−Ｈ（２）、‥、５６−１（Ｊ）〜５６−Ｈ（Ｊ）は直交符号選択部５４−１（１）〜５４−Ｈ（１）、５４−１（２）〜５４−Ｈ（２）、‥、５４−１（Ｊ）〜５４−Ｈ（Ｊ）により選択された直交符号系列に拡散符号発生部５５から出力された拡散符号系列を乗算することにより、その直交符号系列をスペクトル拡散変調して、そのスペクトル拡散変調信号を出力する処理を実施する。
【００６８】
マルチレート変調部１７の遅延生成部５７−１（１）〜５７−Ｈ（１）、５７−１（２）〜５７−Ｈ（２）、‥、５７−１（Ｊ）〜５７−Ｈ（Ｊ）は拡散変調部５６−１（１）〜５６−Ｈ（１）、５６−１（２）〜５６−Ｈ（２）、‥、５６−１（Ｊ）〜５６−Ｈ（Ｊ）から出力されたスペクトル拡散変調信号に相互に異なる遅延量を与える処理を実施する。
マルチレート変調部１７の移相部５８−１（１）〜５８−Ｈ（１）、５８−１（２）〜５８−Ｈ（２）、‥、５８−１（Ｊ）〜５８−Ｈ（Ｊ）はＭ個のスペクトル拡散変調信号の同相多重数が略均等になるように、当該スペクトル拡散変調信号に移相量を与える処理を実施する。
なお、拡散符号発生部５５、拡散変調部５６−１（１）〜５６−Ｈ（１）、５６−１（２）〜５６−Ｈ（２）、‥、５６−１（Ｊ）〜５６−Ｈ（Ｊ）、遅延生成部５７−１（１）〜５７−Ｈ（１）、５７−１（２）〜５７−Ｈ（２）、‥、５７−１（Ｊ）〜５７−Ｈ（Ｊ）及び移相部５８−１（１）〜５８−Ｈ（１）、５８−１（２）〜５８−Ｈ（２）、‥、５８−１（Ｊ）〜５８−Ｈ（Ｊ）から遅延手段が構成されている。
マルチレート変調部１７の多重数可変合成部５９は移相部５８−１（１）〜５８−Ｈ（１）、５８−１（２）〜５８−Ｈ（２）、‥、５８−１（Ｊ）〜５８−Ｈ（Ｊ）から出力されたスペクトル拡散変調信号とパイロット変調部１６の出力可変部４５から出力されたスペクトル拡散変調信号を多重化して、多重スペクトル拡散変調信号を出力する処理を実施する。
【００６９】
図５はこの発明の実施の形態２による基地局２におけるスペクトル拡散通信装置の要部詳細を示す構成図であり、図において、図３と同一符号は同一または相当部分を示すので説明を省略する。
パイロット復調部２３の初期捕捉部８１は直交検波部７３から出力されたＩチャネル及びＱチャネルの受信ベースバンド信号からパイロット信号を抽出し、そのパイロット信号を用いて初期捕捉動作を実施して、移動局１の拡散変調部５６−１（１）〜５６−Ｈ（１）、５６−１（２）〜５６−Ｈ（２）、‥、５６−１（Ｊ）〜５６−Ｈ（Ｊ）で乗算された拡散符号系列の符号同期タイミングを獲得する。
【００７０】
マルチレート制御部２６の多重数制御部９１は伝送速度判定部２５により判別された伝送速度の最大値からスペクトル拡散変調信号の多重数Ｍ（＝Ｈ×Ｊ）を決定して、その多重数Ｍを多重数可変分配部１０１、Ｐ／Ｓ部１０９−１〜１０９−Ｊ及び可変パラレル／シリアル変換部１０８に出力する処理を実施する。
マルチレート制御部２６の直交符号数制御部９２は伝送速度判定部２５により判別された伝送速度の最大値から直交符号系列の個数２Nを決定して、２N個の直交符号系列を決定し、２N個の直交符号系列の系列情報及び系列数を部分相関処理部１０５−１（１）〜１０５−Ｈ（１）、１０５−１（２）〜１０５−Ｈ（２）、‥、１０５−１（Ｊ）〜１０５−Ｈ（Ｊ）及び逆直交変換部１０６−１（１）〜１０６−Ｈ（１）、１０６−１（２）〜１０６−Ｈ（２）、‥、１０６−１（Ｊ）〜１０６−Ｈ（Ｊ）に出力する処理を実施する。
マルチレート制御部２６の符号化率制御部９３は伝送速度判定部２５により判別された伝送速度の最大値から符号化率Ｒを決定し、その符号化率Ｒを復号化部１０７ａ−１〜１０７ａ−Ｊに出力する処理を実施する。
【００７１】
マルチレート復調部２７の多重数可変分配部１０１は受信部２２から出力されたＩチャネル及びＱチャネルの受信ベースバンド信号を分配（多重スペクトル拡散変調信号の多重数Ｍ（＝Ｈ×Ｊ）だけ受信ベースバンド信号を分配）して、Ｍ個の受信ベースバンド信号を出力する処理を実施する。
マルチレート復調部２７の遅延補正部１０２−１（１）〜１０２−Ｈ（１）、１０２−１（２）〜１０２−Ｈ（２）、‥、１０２−１（Ｊ）〜１０２−Ｈ（Ｊ）は多重数可変分配部１０１により分配されたＭ（＝Ｈ×Ｊ）個の受信ベースバンド信号の遅延量が同じになるように、当該受信ベースバンド信号の遅延量を補正する処理を実施する。
マルチレート復調部２７の移相補正部１０３−１（１）〜１０３−Ｈ（１）、１０３−１（２）〜１０３−Ｈ（２）、‥、１０３−１（Ｊ）〜１０３−Ｈ（Ｊ）はＭ個の受信ベースバンド信号が同相になるように、当該受信ベースバンド信号の移相量を補正する処理を実施する。
なお、遅延補正部１０２−１（１）〜１０２−Ｈ（１）、１０２−１（２）〜１０２−Ｈ（２）、‥、１０２−１（Ｊ）〜１０２−Ｈ（Ｊ）及び移相補正部１０３−１（１）〜１０３−Ｈ（１）、１０３−１（２）〜１０３−Ｈ（２）、‥、１０３−１（Ｊ）〜１０３−Ｈ（Ｊ）から補正手段が構成されている。
【００７２】
マルチレート復調部２７の部分相関処理部１０５−１（１）〜１０５−Ｈ（１）、１０５−１（２）〜１０５−Ｈ（２）、‥、１０５−１（Ｊ）〜１０５−Ｈ（Ｊ）は移相補正部１０３−１（１）〜１０３−Ｈ（１）、１０３−１（２）〜１０３−Ｈ（２）、‥、１０３−１（Ｊ）〜１０３−Ｈ（Ｊ）による補正後の受信ベースバンド信号と拡散符号発生部１０４から出力された拡散符号系列との部分相関処理を実施して、その部分相関信号を出力する処理を実施する。
マルチレート復調部２７の逆直交変換部１０６−１（１）〜１０６−Ｈ（１）、１０６−１（２）〜１０６−Ｈ（２）、‥、１０６−１（Ｊ）〜１０６−Ｈ（Ｊ）は部分相関処理部１０５−１（１）〜１０５−Ｈ（１）、１０５−１（２）〜１０５−Ｈ（２）、‥、１０５−１（Ｊ）〜１０５−Ｈ（Ｊ）から出力された部分相関信号と直交符号数制御部９２により決定された２N個の直交符号系列との相関処理を実施して、その相関処理信号を出力する処理を実施する。
なお、部分相関処理部１０５−１（１）〜１０５−Ｈ（１）、１０５−１（２）〜１０５−Ｈ（２）、‥、１０５−１（Ｊ）〜１０５−Ｈ（Ｊ）及び逆直交変換部１０６−１（１）〜１０６−Ｈ（１）、１０６−１（２）〜１０６−Ｈ（２）、‥、１０６−１（Ｊ）〜１０６−Ｈ（Ｊ）から相関処理手段が構成されている。
【００７３】
マルチレート復調部２７のＰ／Ｓ部１０９−１〜１０９−Ｊは逆直交変換部１０６−１（１）〜１０６−Ｈ（１）、１０６−１（２）〜１０６−Ｈ（２）、‥、１０６−１（Ｊ）〜１０６−Ｈ（Ｊ）から出力されたＨ個の相関処理信号をシリアルデータに変換する処理を実施する。なお、Ｐ／Ｓ部１０９−１〜１０９−Ｊは第１のＰ／Ｓ変換手段を構成している。
マルチレート復調部２７の復号化部１０７ａ−１〜１０７ａ−ＪはＰ／Ｓ部１０９−１〜１０９−Ｊから出力されたＨ個のシリアルデータを参照して、符号化率制御部９３から出力された符号化率Ｒに対応する誤り訂正の復号化処理を実施することにより復号データを出力する処理を実施する。なお、復号化部１０７ａ−１〜１０７ａ−Ｊは復号化処理手段を構成している。
マルチレート復調部２７の可変パラレル／シリアル変換部１０８は復号化部１０７ａ−１〜１０７ａ−Ｊから出力されたＪビットの復号データをシリアルデータに変換する処理を実施する。なお、可変パラレル／シリアル変換部１０８は第２のＰ／Ｓ変換手段を構成している。
【００７４】
次に動作について説明する。
移動局１におけるマルチレート制御部１５の多重数制御部３１は、パイロット復調部１４がパイロット信号を復調すると、そのパイロット信号から制御情報を抽出し、その制御情報が示すスペクトル拡散変調信号の多重数Ｍ（＝Ｈ×Ｊ）を可変シリアル／パラレル変換部５１、Ｓ／Ｐ部５３−１〜５３−Ｊ、多重数可変合成部５９及び送信出力制御部４４に出力する。
【００７５】
また、移動局１におけるマルチレート制御部１５の直交符号数制御部３２は、パイロット復調部１４がパイロット信号を復調すると、そのパイロット信号から制御情報を抽出し、その制御情報を参照することによって、スペクトル拡散変調に必要な直交符号系列の個数２Nを認識する。
そして、２N個の直交符号系列Ｗｎ（ｎ＝０〜２N−１；符号長Ｌ＝２N）を決定して、２N個の直交符号系列Ｗｎを直交符号選択部５４−１（１）〜５４−Ｈ（１）、５４−１（２）〜５４−Ｈ（２）、‥、５４−１（Ｊ）〜５４−Ｈ（Ｊ）、Ｓ／Ｐ部５３−１〜５３−Ｊ及び送信出力制御部４４に出力する。
また、移動局１におけるマルチレート制御部１５の符号化率制御部３３は、パイロット復調部１４がパイロット信号を復調すると、そのパイロット信号から制御情報を抽出し、その制御情報が示す符号化率Ｒを符号化部５２ａ−１〜５２ａ−Ｊ及び送信出力制御部４４に出力する。
【００７６】
マルチレート変調部１７の可変シリアル／パラレル変換部５１は、送信データであるシリアルデータを受け、多重数制御部３１からスペクトル拡散変調信号の多重数Ｍ（＝Ｈ×Ｊ）を受けると、そのシリアルデータのうちのＪビットをパラレルデータに分離して、Ｊ個のビットデータを出力する。
マルチレート変調部１７の符号化部５２ａ−１〜５２ａ−Ｊは、可変シリアル／パラレル変換部５１からＪ個のビットデータを受けると、そのビットデータに対する符号化処理を実施する。
即ち、符号化部５２ａ−１〜５２ａ−Ｊは、Ｊ個のビットデータの誤り訂正を行うために、例えば、畳込み符号化器を用いて、そのビットデータに対する符号化率Ｒの畳込み符号化処理を実施する。
マルチレート変調部１７のＳ／Ｐ部５３−１〜５３−Ｊは、符号化部５２ａ−１〜５２ａ−Ｊにより符号化されたビットデータを受けると、そのビットデータをビット単位に分離して、（Ｎ×Ｈ）個のビットデータ（パラレルデータ）を出力する。
【００７７】
マルチレート変調部１７の直交符号選択部５４−１（１）〜５４−Ｈ（１）、５４−１（２）〜５４−Ｈ（２）、‥、５４−１（Ｊ）〜５４−Ｈ（Ｊ）は、Ｓ／Ｐ部５３−１〜５３−Ｊから（Ｎ×Ｈ）個のビットデータを受けると、Ｎ個のビットデータを入力して、直交符号数制御部３２により決定された２N個の直交符号系列の中から、Ｎ個のビットデータの系列に対応する直交符号系列を選択する。
即ち、直交符号選択部５４−１（１）〜５４−Ｈ（１）、５４−１（２）〜５４−Ｈ（２）、‥、５４−１（Ｊ）〜５４−Ｈ（Ｊ）は、予め、Ｎ個のビットデータの系列に対応する直交符号系列Ｗｎが格納されたテーブルを記憶しておき、そのテーブルを参照して、２N個の直交符号系列の中から、Ｎ個のビットデータの系列に対応する直交符号系列Ｗｎを一つ選択する。
【００７８】
マルチレート変調部１７の拡散符号発生部５５は、チップ周期がＴｃで符号長がＧである拡散符号系列を繰り返し出力する。
マルチレート変調部１７の拡散変調部５６−１（１）〜５６−Ｈ（１）、５６−１（２）〜５６−Ｈ（２）、‥、５６−１（Ｊ）〜５６−Ｈ（Ｊ）は、直交符号選択部５４−１（１）〜５４−Ｈ（１）、５４−１（２）〜５４−Ｈ（２）、‥、５４−１（Ｊ）〜５４−Ｈ（Ｊ）がＮ個のビットデータの系列に対応する直交符号系列Ｗｎを選択すると、その直交符号系列Ｗｎに拡散符号発生部５５から出力された拡散符号系列を乗算することにより、その直交符号系列をスペクトル拡散変調して、そのスペクトル拡散変調信号を出力する。
なお、スペクトル拡散変調に際しては、拡散符号系列の符号周期と直交符号の符号周期が等しくなるように乗算する。
【００７９】
マルチレート変調部１７の遅延生成部５７−１（１）〜５７−Ｈ（１）、５７−１（２）〜５７−Ｈ（２）、‥、５７−１（Ｊ）〜５７−Ｈ（Ｊ）は、拡散変調部５６−１（１）〜５６−Ｈ（１）、５６−１（２）〜５６−Ｈ（２）、‥、５６−１（Ｊ）〜５６−Ｈ（Ｊ）からスペクトル拡散変調信号を受けると、基地局２において、Ｍ個の相関ピークを得ることができるようにするため、Ｍ個のスペクトル拡散変調信号に相互に異なる遅延量を与える。
マルチレート変調部１７の移相部５８−１（１）〜５８−Ｈ（１）、５８−１（２）〜５８−Ｈ（２）、‥、５８−１（Ｊ）〜５８−Ｈ（Ｊ）は、遅延生成部５７−１（１）〜５７−Ｈ（１）、５７−１（２）〜５７−Ｈ（２）、‥、５７−１（Ｊ）〜５７−Ｈ（Ｊ）がＭ個のスペクトル拡散変調信号に相互に異なる遅延量を与えると、遅延後のＭ個のスペクトル拡散変調信号の同相多重数が略均等になるように、Ｍ個のスペクトル拡散変調信号に対して、直交軸（Ｉ−Ｑ軸）におけるＩ軸を基準にした移相量を与える。
【００８０】
マルチレート変調部１７の多重数可変合成部５９は、移相部５８−１（１）〜５８−Ｈ（１）、５８−１（２）〜５８−Ｈ（２）、‥、５８−１（Ｊ）〜５８−Ｈ（Ｊ）から移相量が与えられたＭ個のスペクトル拡散変調信号を受け、多重数制御部３１からスペクトル拡散変調信号の多重数Ｍを受けると、Ｍ個のスペクトル拡散変調信号とパイロット変調部１６の出力可変部４５から出力されたパイロット変調信号を多重化し、その多重スペクトル拡散変調信号を出力する。
移動局１におけるその他の処理内容は、上記実施の形態１と同様であるため説明を省略する。
【００８１】
基地局２におけるパイロット復調部２３の初期捕捉部８１は、直交検波部７３からＩチャネル及びＱチャネルの受信ベースバンド信号を受けると、その受信ベースバンド信号からパイロット信号を抽出する。
そして、そのパイロット信号を用いて初期捕捉動作を実施することにより、移動局１の拡散変調部５６−１（１）〜５６−Ｈ（１）、５６−１（２）〜５６−Ｈ（２）、‥、５６−１（Ｊ）〜５６−Ｈ（Ｊ）で乗算された拡散符号系列の符号同期のタイミングを獲得する。
パイロット復調部２３の拡散符号発生部８２は、移動局１の拡散符号発生部４２から出力される拡散符号系列と同一の符号系列、即ち、チップ周期がＴｃで符号長Ｇの拡散符号系列を繰り返し出力する。
【００８２】
マルチレート復調部２７の多重数可変分配部１０１は、受信部２２からＩチャネル及びＱチャネルの受信ベースバンド信号を受け、多重数制御部９１からスペクトル拡散変調信号の多重数Ｍを受けると、Ｉチャネル及びＱチャネルの受信ベースバンド信号を分配（多重スペクトル拡散変調信号の多重数Ｍ（＝Ｈ×Ｊ）だけ受信ベースバンド信号を分配）して、Ｍ個の受信ベースバンド信号を出力する。
マルチレート復調部２７の遅延補正部１０２−１（１）〜１０２−Ｈ（１）、１０２−１（２）〜１０２−Ｈ（２）、‥、１０２−１（Ｊ）〜１０２−Ｈ（Ｊ）は、多重数可変分配部１０１からＭ（＝Ｈ×Ｊ）個の受信ベースバンド信号を受けると、Ｍ個の受信ベースバンド信号の遅延量が同じになるように、当該受信ベースバンド信号の遅延量を補正する。
マルチレート復調部２７の移相補正部１０３−１（１）〜１０３−Ｈ（１）、１０３−１（２）〜１０３−Ｈ（２）、‥、１０３−１（Ｊ）〜１０３−Ｈ（Ｊ）は、遅延補正部１０２−１（１）〜１０２−Ｈ（１）、１０２−１（２）〜１０２−Ｈ（２）、‥、１０２−１（Ｊ）〜１０２−Ｈ（Ｊ）がＭ個の受信ベースバンド信号の遅延量を補正すると、Ｍ個の受信ベースバンド信号が同相になるように、当該受信ベースバンド信号の移相量を補正する。
【００８３】
マルチレート復調部２７の部分相関処理部１０５−１（１）〜１０５−Ｈ（１）、１０５−１（２）〜１０５−Ｈ（２）、‥、１０５−１（Ｊ）〜１０５−Ｈ（Ｊ）は、移相補正部１０３−１（１）〜１０３−Ｈ（１）、１０３−１（２）〜１０３−Ｈ（２）、‥、１０３−１（Ｊ）〜１０３−Ｈ（Ｊ）から移相補正された受信ベースバンド信号を受け、拡散符号発生部１０４から拡散符号系列を受けると、その受信ベースバンド信号と拡散符号系列との部分相関処理を実施して、その部分相関信号を出力する。
マルチレート復調部２７の逆直交変換部１０６−１（１）〜１０６−Ｈ（１）、１０６−１（２）〜１０６−Ｈ（２）、‥、１０６−１（Ｊ）〜１０６−Ｈ（Ｊ）は、部分相関処理部１０５−１（１）〜１０５−Ｈ（１）、１０５−１（２）〜１０５−Ｈ（２）、‥、１０５−１（Ｊ）〜１０５−Ｈ（Ｊ）からＨ個の部分相関信号を受け、直交符号数制御部９２から直交符号系列Ｗｎ（ｎ＝０〜２N−１）を受けると、Ｈ個の部分相関信号と直交符号系列Ｗｎとの相関処理を実施して、Ｉチャネル及びＱチャネルに対応するＨ個の相関処理信号を出力する。
【００８４】
マルチレート復調部２７のＰ／Ｓ部１０９−１〜１０９−Ｊは、逆直交変換部１０６−１（１）〜１０６−Ｈ（１）、１０６−１（２）〜１０６−Ｈ（２）、‥、１０６−１（Ｊ）〜１０６−Ｈ（Ｊ）からＨ個の相関処理信号を受けると、Ｈ個の相関処理信号をシリアルデータに変換する。
マルチレート復調部２７の復号化部１０７ａ−１〜１０７ａ−Ｊは、Ｐ／Ｓ部１０９−１〜１０９−ＪからＨ個のシリアルデータを受けると、Ｈ個のシリアルデータを参照して、符号化率制御部９３から出力された符号化率Ｒに対応する誤り訂正の復号化処理を実施することにより復号データを出力する。
マルチレート復調部２７の可変パラレル／シリアル変換部１０８は、復号化部１０７ａ−１〜１０７ａ−ＪからＫ（＝Ｎ×Ｍ）個の復号データを受け、多重数制御部９１からスペクトル拡散変調信号の多重数Ｍを受けると、Ｋ（＝Ｎ×Ｍ）個の復号データをシリアルデータに変換することにより、Ｎ×Ｍビットのシリアルデータである受信データを出力する。
【００８５】
マルチレート制御部２６の多重数制御部９１は、伝送速度判定部２５が伝送速度の最大値を判別すると、その伝送速度の最大値からスペクトル拡散変調信号の多重数Ｍ（＝Ｈ×Ｊ）を決定し、その多重数Ｍを多重数可変分配部１０１、Ｐ／Ｓ部１０９−１〜１０９−Ｊ及び可変パラレル／シリアル変換部１０８に出力する。
マルチレート制御部２６の直交符号数制御部９２は、伝送速度判定部２５により判別された伝送速度の最大値から直交符号系列の個数２Nを決定して、２N個の直交符号系列Ｗｎを決定し、２N個の直交符号系列Ｗｎを部分相関処理部１０５−１（１）〜１０５−Ｈ（１）、１０５−１（２）〜１０５−Ｈ（２）、‥、１０５−１（Ｊ）〜１０５−Ｈ（Ｊ）及び逆直交変換部１０６−１（１）〜１０６−Ｈ（１）、１０６−１（２）〜１０６−Ｈ（２）、‥、１０６−１（Ｊ）〜１０６−Ｈ（Ｊ）に出力する。
マルチレート制御部２６の符号化率制御部９３は、伝送速度判定部２５により判別された伝送速度の最大値から符号化率Ｒを決定し、その符号化率Ｒを復号化部１０７ａ−１〜１０７ａ−Ｊに出力する。
基地局２におけるその他の処理内容は、上記実施の形態１と同様であるため説明を省略する。
【００８６】
以上で明らかなように、この実施の形態２によれば、シリアルデータである送信データをＪ個に分割し、分割後のデータに対して誤り訂正のための符号化処理を行った後、符号化処理後のデータに対してＳ／Ｐ変換による（Ｎ×Ｈ）ビットのシリアル／パラレル変換を行ってＮ個のビットデータを入力し、２N個の直交符号系列Ｗｎの中からＮ個のビットデータの系列に対応する直交符号系列Ｗｎを選択する直交符号選択部５４−１（１）〜５４−Ｈ（１）、５４−１（２）〜５４−Ｈ（２）、‥、５４−１（Ｊ）〜５４−Ｈ（Ｊ）と、その直交符号系列Ｗｎをスペクトル拡散変調し、そのスペクトル拡散変調信号に相互に異なる遅延量を与える遅延生成部５７−１（１）〜５７−Ｈ（１）、５７−１（２）〜５７−Ｈ（２）、‥、５７−１（Ｊ）〜５７−Ｈ（Ｊ）とを設け、Ｍ個の遅延後のスペクトル拡散変調信号を合成して、多重スペクトル拡散変調信号を生成するように構成したので、上記実施の形態１と比較して、符号化部５２−１〜５２−Ｊの個数をＭ個からＪ（＝Ｍ／Ｈ）個に軽減することができるようになり、その結果、符号化部の構成を簡易化することができる効果を奏する。
【００８７】
この実施の形態２によれば、多重数可変分配部１０１により分配されたＭ（＝Ｈ×Ｊ）個のスペクトル拡散変調信号の遅延量が同じになるように、当該スペクトル拡散変調信号の遅延量を補正する遅延補正部１０２−１（１）〜１０２−Ｈ（１）、１０２−１（２）〜１０２−Ｈ（２）、‥、１０２−１（Ｊ）〜１０２−Ｈ（Ｊ）と、補正後のスペクトル拡散変調信号と複数の直交符号系列との相関処理を実施する逆直交変換部１０６−１（１）〜１０６−Ｈ（１）、１０６−１（２）〜１０６−Ｈ（２）、‥、１０６−１（Ｊ）〜１０６−Ｈ（Ｊ）と、相関処理信号を参照して、誤り訂正に対する復号化処理を実施して復号データを出力する復号化部１０７ａ−１〜１０７ａ−Ｊとを設けように構成したので、上記実施の形態１と比較して、復号化部１０７ａ−１〜１０７ａ−Ｊの個数をＭ個からＪ（＝Ｍ／Ｈ）個に軽減することができるようになり、その結果、復号化部の構成を簡易化することができる効果を奏する。
【００８８】
実施の形態３．
図６はこの発明の実施の形態３による移動局１におけるスペクトル拡散通信装置の要部詳細を示す構成図であり、図において、図２と同一符号は同一または相当部分を示すので説明を省略する。
マルチレート変調部１７の周波数偏差付加部６０−１〜６０−Ｍは拡散変調部５６−１〜５６−Ｍから出力されたスペクトル拡散変調信号に相互に異なる周波数偏差を与える処理を実施する。なお、周波数偏差付加部６０−１〜６０−Ｍは周波数偏差付与手段を構成している。
【００８９】
図７はこの発明の実施の形態３による基地局２におけるスペクトル拡散通信装置の要部詳細を示す構成図であり、図において、図３と同一符号は同一または相当部分を示すので説明を省略する。
マルチレート復調部２７の周波数偏差補正部１１０−１〜１１０−Ｍは多重数可変分配部１０１により分配されたＭ個の受信ベースバンド信号の周波数偏差が同じになるように、当該受信ベースバンド信号の周波数偏差を補正する処理を実施する。なお、周波数偏差補正部１１０−１〜１１０−Ｍは補正手段を構成している。
【００９０】
上記実施の形態１では、移動局１のマルチレート変調部１７が遅延生成部５７−１〜５７−Ｍ及び移相部５８−１〜５８−Ｍを搭載しているものについて示したが、遅延生成部５７−１〜５７−Ｍ及び移相部５８−１〜５８−Ｍの代わりに、周波数偏差付加部６０−１〜６０−Ｍを搭載するようにしてもよい。
また、上記実施の形態１では、基地局２のマルチレート復調部２７が遅延補正部１０２−１〜１０２−Ｍ及び移相補正部１０３−１〜１０３−Ｍを搭載しているものについて示したが、遅延補正部１０２−１〜１０２−Ｍ及び移相補正部１０３−１〜１０３−Ｍの代わりに、周波数偏差補正部１１０−１〜１１０−Ｍを搭載するようにしてもよい。
【００９１】
次に動作について説明する。
移動局１におけるマルチレート変調部１７の周波数偏差付加部６０−１〜６０−Ｍは、拡散変調部５６−１〜５６−ＭからＭ個のスペクトル拡散変調信号を受けると、基地局２において、Ｍ個の相関ピークを得ることができるようにするため、Ｍ個のスペクトル拡散変調信号に相互に異なる周波数偏差を与える。
即ち、周波数偏差付加部６０−１〜６０−Ｍは、拡散変調部５６−１〜５６−Ｍから出力されたＭ個のスペクトル拡散変調信号に対して、各サブキャリアに対応する周波数偏差量Δｆｋとして、Δｆｋ＝（ｋ−１）ｆｃ／Ｇの周波数偏差を与える。
ただし、ｋ＝０，１，・・・，Ｍ−１であり、ｆｃはチップ周波数であって、１／Ｔｃである。
移動局１は、以降、上記実施の形態１と同様に動作するため説明を省略する。
【００９２】
基地局２におけるマルチレート復調部２７の周波数偏差補正部１１０−１〜１１０−Ｍは、多重数可変分配部１０１からＭ個の受信ベースバンド信号を受けると、Ｍ個の受信ベースバンド信号の周波数偏差が同じになるように、当該受信ベースバンド信号の周波数偏差を補正する。
例えば、多重数可変分配部１０１から出力されたＩチャネル及びＱチャネルの受信ベースバンド信号に対して、各サブキャリアに対応する周波数偏差量Δｆｋとして、Δｆｋ＝−（ｋ−１）ｆｃ／Ｇの周波数偏差を補正する。
ただし、ｋ＝０，１，・・・，Ｍ−１であり、ｆｃはチップ周波数であって、１／Ｔｃである。
基地局２は、以降、上記実施の形態１と同様に動作するため説明を省略する。
【００９３】
以上で明らかなように、この実施の形態３によれば、シリアルデータである送信データをＭ個に分割し、分割後のデータに対して誤り訂正のための符号化処理を行った後、符号化処理後のデータに対してＳ／Ｐ変換によるＮビットのシリアル／パラレル変換を行ってＮ個のビットデータを入力し、２N個の直交符号系列Ｗｎの中からＮ個のビットデータの系列に対応する直交符号系列Ｗｎを選択する直交符号選択部５４−１〜５４−Ｍと、その直交符号系列Ｗｎをスペクトル拡散変調し、そのスペクトル拡散変調信号に相互に異なる周波数偏差を与える周波数偏差付加部６０−１〜６０−Ｍとを設け、Ｍ個の周波数偏差後のスペクトル拡散変調信号を合成して、多重スペクトル拡散変調信号を生成するように構成したので、Ｍ個のスペクトル拡散変調信号を合成するだけで（従来は、Ｋ（＝Ｎ×Ｍ）個のスペクトル拡散変調信号を合成する必要がある）、Ｎ×Ｍ個のビットデータを送信することが可能になるとともに、Ｍ個に分割する前に符号化処理を行う場合と比較して、符号化処理の処理速度を１／Ｍ倍にすることができる。そのため、伝送速度の可変レート処理を行う場合でも、固定レートの符号化部を多重数分だけ用意すれば足りるので、符号化部の構成を簡易化することができる効果を奏する。
【００９４】
また、この実施の形態３によれば、多重数可変分配部１０１により分配されたＭ個のスペクトル拡散変調信号の周波数偏差が同じになるように、当該受信ベースバンド信号の周波数偏差を補正する周波数偏差補正部１１０−１〜１１０−Ｍと、補正後のスペクトル拡散変調信号と複数の直交符号系列との相関処理を実施する逆直交変換部１０６−１〜１０６−Ｍと、相関処理信号を参照して、誤り訂正に対する復号化処理を実施して復号データを出力する復号化部１０７−１〜１０７−Ｍとを設けるように構成したので、移動局１がＮ×Ｍ個のビットデータを送信するに際して、Ｍ個のスペクトル拡散変調信号を合成して多重スペクトル拡散変調信号を生成する場合でも、Ｎ×Ｍ個のビットデータを受信することができるとともに、Ｍ個の信号を合成後に復号化処理を行う場合と比較して、復号化処理の処理速度を１／Ｍ倍にすることができる。そのため、伝送速度の可変レート処理を行う場合でも、固定レートの符号化部を多重数分だけ用意すれば足りるので、復号化部の構成を簡易化することができる効果を奏する。
【００９５】
実施の形態４．
図８はこの発明の実施の形態４による移動局１におけるスペクトル拡散通信装置の要部詳細を示す構成図であり、図において、図２と同一符号は同一または相当部分を示すので説明を省略する。
マルチレート制御部１５の拡散符号数制御部３４はパイロット復調部１４により復調されたパイロット信号から制御情報を抽出し、その制御情報が示す拡散符号系列の個数２Nから２N個の拡散符号系列を決定し、２N個の拡散符号系列の系列情報及び系列数を拡散符号選択部１２１−１〜１２１−Ｍ、Ｓ／Ｐ部５３−１〜５３−Ｍ及び送信出力制御部４４に出力する処理を実施する。
マルチレート変調部１７の拡散符号選択部１２１−１〜１２１−Ｍは拡散符号数制御部３４により決定された２N個の拡散符号系列の中から、Ｓ／Ｐ部５３−１〜５３−Ｍから出力されたＮ個のビットデータの系列に対応する拡散符号系列を選択する処理を実施する。なお、拡散符号選択部１２１−１〜１２１−Ｍは拡散符号選択手段を構成している。
【００９６】
図９はこの発明の実施の形態４による基地局２におけるスペクトル拡散通信装置の要部詳細を示す構成図であり、図において、図３と同一符号は同一または相当部分を示すので説明を省略する。
マルチレート制御部２６の拡散符号数制御部９４は伝送速度判定部２５により判別された伝送速度の最大値から拡散符号系列の個数２Nを決定して、その拡散符号系列の個数２Nを相関処理部１３２−１〜１３２−Ｍに出力する処理を実施する。
【００９７】
マルチレート復調部２７の拡散符号発生部１３１は拡散符号数制御部１１２により決定された拡散符号系列の個数２Nから２N個の拡散符号系列を決定し、２N個の拡散符号系列を相関処理部１３２−１〜１３２−Ｍに出力する処理を実施する。
マルチレート復調部２７の相関処理部１３２−１〜１３２−Ｍは移相補正部１０３−１〜１０３−Ｍから出力された補正後の受信ベースバンド信号と拡散符号発生部１３１から出力された２N個の拡散符号系列との相関処理を実施して、２N個の相関処理信号を出力する処理を実施している。
なお、拡散符号発生部１３１及び相関処理部１３２−１〜１３２−Ｍから相関処理手段が構成されている。
マルチレート復調部２７の復号化部１３３−１〜１３３−Ｍは相関処理部１３２−１〜１３２−Ｍから出力された２N個の相関処理信号を参照して、誤り訂正に対する復号化処理を実施して復号データを出力する処理を実施する。なお、復号化部１３３−１〜１３３−Ｍは復号化処理手段を構成している。
【００９８】
次に動作について説明する。
上記実施の形態１では、移動局１のマルチレート変調部１７が直交符号選択部５４−１〜５４−Ｍ、拡散符号発生部５５及び拡散変調部５６−１〜５６−Ｍを搭載しているものについて示したが、直交符号選択部５４−１〜５４−Ｍ、拡散符号発生部５５及び拡散変調部５６−１〜５６−Ｍの代わりに、拡散符号選択部１２１−１〜１２１−Ｍを搭載するようにしてもよい。
また、上記実施の形態１では、基地局２のマルチレート復調部２７が部分相関処理部１０５−１〜１０５−Ｍ及び逆直交処理部１０６−１〜１０６−Ｍを搭載しているものについて示したが、部分相関処理部１０５−１〜１０５−Ｍ及び逆直交処理部１０６−１〜１０６−Ｍの代わりに、相関処理部１３２−１〜１３２−Ｍを搭載するようにしてもよい。
【００９９】
次に動作について説明する。
移動局１におけるマルチレート制御部１５の拡散符号数制御部３２は、上記実施の形態１と同様にして、パイロット復調部１４がパイロット信号を復調すると、そのパイロット信号から制御情報を抽出し、その制御情報が示す拡散符号系列の個数２Nから２N個の拡散符号系列Ｓｎ（ｎ＝０〜２N−１；符号長Ｇ）を決定する。
そして、２N個の拡散符号系列Ｓｎを拡散符号選択部１２１−１〜１２１−Ｍ、Ｓ／Ｐ部５３−１〜５３−Ｍ及び送信出力制御部４４に出力する。
【０１００】
移動局１におけるマルチレート変調部１７の拡散符号選択部１２１−１〜１２１−Ｍは、Ｓ／Ｐ部５３−１〜５３−ＭからＮ個のビットデータを入力すると、拡散符号数制御部３４により決定された２N個の拡散符号系列の中から、Ｎ個のビットデータの系列に対応する拡散符号系列を選択する。
即ち、拡散符号選択部１２１−１〜１２１−Ｍは、例えば、予め、Ｎ個のビットデータの系列に対応する拡散符号系列Ｓｎが格納されたテーブルを記憶しておき、そのテーブルを参照して、２N個の拡散符号系列の中から、Ｎ個のビットデータの系列に対応する拡散符号系列Ｓｎを一つ選択する。
拡散符号選択部１２１−１〜１２１−Ｍは、Ｎ個のビットデータの系列に対応する拡散符号系列Ｓｎをチップ周期Ｔｃのスペクトル拡散信号として遅延生成部５７−１〜５７−Ｍに出力する。
移動局１は、以降、上記実施の形態１と同様に動作するため説明を省略する。
【０１０１】
基地局２におけるマルチレート制御部２６の拡散符号数制御部９４は、上記実施の形態１と同様にして、伝送速度判定部２５が伝送速度の最大値を判別すると、その伝送速度の最大値から拡散符号系列の個数２Nを決定し、その拡散符号系列の個数２Nを相関処理部１３２−１〜１３２−Ｍ及び拡散符号発生部１３１に出力する。
基地局２におけるマルチレート復調部２７の拡散符号発生部１３１は、初期捕捉部８１が拡散符号系列の符号同期タイミングを獲得すると、その符号同期タイミングに同期して、拡散符号数制御部９４により決定された拡散符号系列の個数２Nから２N個の拡散符号系列Ｓｎを決定し、２N個の拡散符号系列Ｓｎを相関処理部１３２−１〜１３２−Ｍに出力する。
【０１０２】
基地局２におけるマルチレート復調部２７の相関処理部１３２−１〜１３２−Ｍは、上記実施の形態１と同様にして、移相補正部１０３−１〜１０３−Ｍから移相補正された受信ベースバンド信号を受け、拡散符号発生部１３１から２N個の拡散符号系列Ｓｎを受けると、補正後の受信ベースバンド信号と２N個の拡散符号系列Ｓｎとの相関処理を実施して、２N個の相関処理信号を出力する。
即ち、相関処理部１３２−１〜１３２−Ｍは、補正後の受信ベースバンド信号に対する２N個の拡散符号系列Ｓｎ（ｎ＝０〜２N−１）の相関処理を実施して、２N個の拡散符号系列Ｓｎ（ｎ＝０〜２N−１）のそれぞれに対するＩチャネル及びＱチャネルに対応する２N個の相関処理信号を出力する。
【０１０３】
基地局２におけるマルチレート復調部２７の復号化部１３３−１〜１３３−Ｍは、相関処理部１３２−１〜１３２−Ｍから２N個の相関処理信号を受けると、２N個の相関処理信号を参照して、誤り訂正に対する復号化処理を実施して復号データを出力する。
例えば、復号化部１３３−１〜１３３−Ｍは、移動局１の拡散符号選択部１２１−１〜１２１−Ｍと同様に、予め、Ｎビットの復調データ（Ｎ個のビットデータの系列）に対応する拡散符号系列Ｓｎが格納されたテーブルを記憶しておき、２N個の拡散符号系列に対応する２N個の相関処理信号を参照して、符号化率Ｒに対応するビタビアルゴリズムによる復号処理を実施し、そのテーブルを参照して、移動局１で送信された拡散符号系列Ｓｎに対応するＮビットの復号データを一つ選択して出力する。
基地局２は、以降、上記実施の形態１と同様に動作するため説明を省略する。
【０１０４】
以上で明らかなように、この実施の形態４によれば、シリアルデータである送信データをＭ個に分割し、分割後のデータに対して誤り訂正のための符号化処理を行った後、符号化処理後のデータに対してＳ／Ｐ変換によるＮビットのシリアル／パラレル変換を行ってＮ個のビットデータを入力し、２N個の拡散符号系列Ｓｎの中からＮ個のビットデータの系列に対応する拡散符号系列Ｓｎを選択する拡散符号選択部１２１−１〜１２１−Ｍと、その拡散符号系列Ｓｎをスペクトル拡散変調し、そのスペクトル拡散変調信号に相互に異なる遅延量を与える遅延生成部５７−１〜５７−Ｍとを設け、Ｍ個の遅延後のスペクトル拡散変調信号を合成して多重スペクトル拡散変調信号を生成するように構成したので、Ｍ個のスペクトル拡散変調信号を合成するだけで（従来は、Ｋ（＝Ｎ×Ｍ）個のスペクトル拡散変調信号を合成する必要がある）、Ｎ×Ｍ個のビットデータを送信することが可能になるとともに、Ｍ個に分割する前に符号化処理を行う場合と比較して、符号化処理の処理速度を１／Ｍ倍にすることができる。このため、伝送速度の可変レート処理を行う場合でも、固定レートの符号化部を多重数分だけ用意すれば足りるため、符号化部の構成を簡易化することができる効果を奏する。
【０１０５】
また、この実施の形態４によれば、多重数可変分配部１０１により分配されたＭ個のスペクトル拡散変調信号の遅延量が同じになるように、当該スペクトル拡散変調信号の遅延量を補正する遅延補正部１０２−１〜１０２−Ｍと、補正後のスペクトル拡散変調信号と２N個の拡散符号系列との相関処理を実施する相関処理部１３２−１〜１３２−Ｍと、相関処理信号を参照して、誤り訂正に対する復号化処理を実施して復号データを出力する復号化部１３３−１〜１３３−Ｍとを設けるように構成したので、移動局１がＮ×Ｍ個のビットデータを送信するに際して、Ｍ個のスペクトル拡散変調信号を合成して多重スペクトル拡散変調信号を生成する場合でも、Ｎ×Ｍ個のビットデータを受信することができるとともに、Ｍ個の信号を合成後に復号化処理を行う場合と比較して、復号化処理の処理速度を１／Ｍ倍にすることができる。このため、伝送速度の可変レート処理を行う場合でも、固定レートの符号化部を多重数分だけ用意すれば足りるため、復号化部の構成を簡易化することができる効果を奏する。
【０１０６】
実施の形態５．
図１０はこの発明の実施の形態５による通信システムを示す構成図であり、図において、図１と同一符号は同一または相当部分を示すので説明を省略する。
移動局１の伝送速度判定部１９はパイロット復調部１４により復調されたパイロット信号から制御情報と回線品質の測定情報を抽出し、その制御情報と回線品質の測定情報を参照して、基地局２側で所定の伝送品質を満足することが可能な移動局１の送信側の伝送速度の最大値を判別する処理を実施する。
移動局１のマルチレート制御部１５ａは伝送速度判定部１９により判別された伝送速度の最大値から２N個の直交符号系列又は拡散符号系列を決定し、２N個の直交符号系列又は拡散符号系列とスペクトル拡散変調信号の多重数Ｍと符号化率Ｒを決定する処理を実施する。
なお、伝送速度判定部１９及びマルチレート制御部１５ａから符号系列決定手段が構成されている。
【０１０７】
次に動作について説明する。
この実施の形態５では、伝送速度判定部１９が移動局１に搭載されている点で上記実施の形態１と相違している。
移動局１の伝送速度判定部１９は、上記実施の形態１と同様にして、パイロット復調部１４がパイロット信号を復調すると、そのパイロット信号から制御情報と回線品質の測定情報を抽出し、その制御情報と回線品質の測定情報を参照して、基地局２側で所定の伝送品質を満足することが可能な移動局１の送信側の伝送速度の最大値を判別する。
移動局１のマルチレート制御部１５ａは、伝送速度判定部１９が伝送速度の最大値を判別すると、伝送速度の最大値から２N個の直交符号系列又は拡散符号系列を決定し、２N個の直交符号系列又は拡散符号系列とスペクトル拡散変調信号の多重数Ｍと符号化率Ｒとを決定する。
移動局１におけるその他の処理内容は、上記実施の形態１と同様であるため説明を省略する。
【０１０８】
基地局２のマルチレート制御部２６は、パイロット復調部２３からスペクトル拡散変調信号の多重数Ｍと直交符号系列又は拡散符号系列の個数２Nと符号化率Ｒとを受けると、そのスペクトル拡散変調信号の多重数Ｍと直交符号系列又は拡散符号系列の個数２Nと符号化率Ｒとからマルチレート変調部１７を制御する信号を出力するとともに、その制御情報をパイロット変調部２８に出力する。
基地局２におけるその他の処理内容は、上記実施の形態１と同様であるため説明を省略する。
【０１０９】
以上で明らかなように、この実施の形態５によれば、移動局１が伝送速度判定部１９を搭載するように構成したので、移動局１側で伝送速度の最大値を判別して、伝送速度を決定することができる効果を奏する。
【０１１０】
実施の形態６．
図１１はこの発明の実施の形態６による通信システムを示す構成図であり、図において、図１と同一符号は同一または相当部分を示すので説明を省略する。
移動局１の姿勢・位置情報検出部１４１は移動局１の姿勢及び位置を検出して、その検出信号を出力する処理を実施する。
移動局１のパイロット変調部１４２はマルチレート制御部１５により抽出された制御情報と、姿勢・位置情報検出部１４１から出力された検出信号とからなる系列をスペクトル拡散変調する処理を実施する。パイロット変調部１４２の内部構成は図１のパイロット変調部１６と同じでよい。
なお、姿勢・位置情報検出部１４１及びパイロット変調部１４２からパイロット変調手段が構成されている。
【０１１１】
基地局２の伝送速度判定部１４３は図１の伝送速度判定部２５と同様にして、移動局１の送信側の伝送速度の最大値を判別するが、パイロット復調部２３がパイロット信号から制御情報の他に、移動局１の姿勢及び位置を示す検出信号を抽出すると、移動局１の姿勢と位置を考慮して、基地局２側で所要の伝送品質を満足することが可能な移動局１の送信側の伝送速度の最大値を判別する。なお、伝送速度判定部１４３はマルチレート制御手段を構成している。
【０１１２】
この実施の形態６では、姿勢・位置情報検出部１４１が移動局１に搭載されている点が上記実施の形態１と相違している。
移動局１の姿勢・位置情報検出部１４１は、移動局１の姿勢及び位置を検出して、その検出信号を出力する。
移動局１のパイロット変調部１４２は、マルチレート制御部１５により抽出された制御情報と、姿勢・位置情報検出部１４１から出力された検出信号とを含むデータ系列をスペクトル拡散変調し、そのスペクトル拡散変調信号をパイロット変調信号として出力する。
移動局１におけるその他の処理内容は、上記実施の形態１と同様であるため説明を省略する。
【０１１３】
基地局２の伝送速度判定部１４３は、図１の伝送速度判定部２５と同様にして、移動局１の送信側の伝送速度の最大値を判別するが、パイロット復調部２３がパイロット信号からの制御情報の他に、移動局１の姿勢及び位置を示す検出信号を抽出すると、移動局１の姿勢と位置を考慮して、基地局２側で所要の伝送品質を満足することが可能な移動局１の送信側の伝送速度の最大値を判別する。
基地局２におけるその他の処理内容は、上記実施の形態１と同様であるため説明を省略する。
【０１１４】
以上で明らかなように、この実施の形態６によれば、移動局１の姿勢と位置を考慮して、基地局２側で所要の伝送品質を満足することが可能な移動局１の送信側の伝送速度の最大値を判別するように構成したので、回線品質だけで伝送速度の最大値を判別する場合よりも、精度よく伝送速度の切替を実現することができる効果を奏する。
【図面の簡単な説明】
【０１１５】
【図１】この発明の実施の形態１による通信システムを示す構成図である。
【図２】この発明の実施の形態１による移動局におけるスペクトル拡散通信装置の要部詳細を示す構成図である。
【図３】この発明の実施の形態１による基地局におけるスペクトル拡散通信装置の要部詳細を示す構成図である。
【図４】この発明の実施の形態２による移動局におけるスペクトル拡散通信装置の要部詳細を示す構成図である。
【図５】この発明の実施の形態２による基地局におけるスペクトル拡散通信装置の要部詳細を示す構成図である。
【図６】この発明の実施の形態３による移動局におけるスペクトル拡散通信装置の要部詳細を示す構成図である。
【図７】この発明の実施の形態３による基地局におけるスペクトル拡散通信装置の要部詳細を示す構成図である。
【図８】この発明の実施の形態４による移動局におけるスペクトル拡散通信装置の要部詳細を示す構成図である。
【図９】この発明の実施の形態４による基地局におけるスペクトル拡散通信装置の要部詳細を示す構成図である。
【図１０】この発明の実施の形態５による通信システムを示す構成図である。
【図１１】この発明の実施の形態６による通信システムを示す構成図である。
【符号の説明】
【０１１６】
１  移動局、２  基地局、１１  アンテナ（受信手段、送信手段）、１２  受信部（受信手段）、１３  データ復調部（復調手段）、１４  パイロット復調部（復調手段）、１５  マルチレート制御部（符号系列決定手段）、１５ａ  マルチレート制御部（符号系列決定手段）、１６  パイロット変調部（パイロット変調手段）、１７  マルチレート変調部（マルチレート変調手段）、１８  送信部（送信手段）、１９  伝送速度判定部（符号系列決定手段）、２１  アンテナ（受信手段、送信手段）、２２  受信部（受信手段）、２３  パイロット復調部（マルチレート制御手段）、２４  回線品質測定部（マルチレート制御手段）、２５  伝送速度判定部（マルチレート制御手段）、２６  マルチレート制御部（マルチレート制御手段）、２７  マルチレート復調部（マルチレート復調手段）、２８  パイロット変調部（変調手段）、２９  データ変調部（変調手段）、３０  送信部（送信手段）、３１  多重数制御部、３２  直交符号数制御部、３３  符号化率制御部、３４  拡散符号数制御部、４１  フレーミング部（拡散変調手段）、４２  拡散符号発生部（拡散変調手段）、４３  拡散変調部（拡散変調手段）、４４  送信出力制御部（送信電力決定手段）、４５  出力可変部（電力調整手段）、５１  可変シリアル／パラレル変換部（第１のＳ／Ｐ変換手段）、５２−１〜５２−Ｍ  符号化部（符号化処理手段）、５２ａ−１〜５２ａ−Ｊ  符号化部（符号化処理手段）、５３−１〜５３−Ｍ  Ｓ／Ｐ部（第２のＳ／Ｐ変換手段）、５３−１〜５３−Ｊ  Ｓ／Ｐ部（第２のＳ／Ｐ変換手段）
５４−１〜５４−Ｍ  直交符号選択部（直交符号選択手段）、５４−１（１）〜５４−Ｈ（１）、５４−１（２）〜５４−Ｈ（２）、‥、５４−１（Ｊ）〜５４−Ｈ（Ｊ）  直交符号選択部（直交符号選択手段）、５５  拡散符号発生部（遅延手段）、５６−１〜５６−Ｍ  拡散変調部（遅延手段）、５６−１（１）〜５６−Ｈ（１）、５６−１（２）〜５６−Ｈ（２）、‥、５６−１（Ｊ）〜５６−Ｈ（Ｊ）  拡散変調部（遅延手段）、５７−１〜５７−Ｍ  遅延生成部（遅延手段）、５７−１（１）〜５７−Ｈ（１）、５７−１（２）〜５７−Ｈ（２）、‥、５７−１（Ｊ）〜５７−Ｈ（Ｊ）  遅延生成部（遅延手段）、５８−１〜５８−Ｍ  移相部（遅延手段）、５８−１（１）〜５８−Ｈ（１）、５８−１（２）〜５８−Ｈ（２）、‥、５８−１（Ｊ）〜５８−Ｈ（Ｊ）  移相部（遅延手段）、５９  多重数可変合成部（合成手段）、６０−１〜６０−Ｍ  周波数偏差付加部（周波数偏差付与手段）、６１  周波数変換部、６２  電力増幅部、７１  低雑音増幅部、７２  周波数変換部、７３  直交検波部、８１  初期捕捉部、８２  拡散符号発生部、８３  逆拡散処理部、８４  データ復調部、８５  デフレーミング部、９１  多重数制御部、９２  直交符号数制御部、９３  符号化率制御部、９４  拡散符号数制御部、１０１  多重数可変分配部（分配手段）、１０２−１〜１０２−Ｍ  遅延補正部（補正手段）、１０２−１（１）〜１０２−Ｈ（１）、１０２−１（２）〜１０２−Ｈ（２）、‥、１０２−１（Ｊ）〜１０２−Ｈ（Ｊ）  遅延補正部（補正手段）、１０３−１〜１０３−Ｍ  移相補正部（補正手段）、１０３−１（１）〜１０３−Ｈ（１）、１０３−１（２）〜１０３−Ｈ（２）、‥、１０３−１（Ｊ）〜１０３−Ｈ（Ｊ）  移相補正部（補正手段）、１０４  拡散符号発生部（相関処理手段）、１０５−１〜１０５−Ｍ  部分相関処理部（相関処理手段）、１０５−１（１）〜１０５−Ｈ（１）、１０５−１（２）〜１０５−Ｈ（２）、‥、１０５−１（Ｊ）〜１０５−Ｈ（Ｊ）  部分相関処理部（相関処理手段）、１０６−１〜１０６−Ｍ  逆直交変換部（相関処理手段）、１０６−１（１）〜１０６−Ｈ（１）、１０６−１（２）〜１０６−Ｈ（２）、‥、１０６−１（Ｊ）〜１０６−Ｈ（Ｊ）  逆直交変換部（相関処理手段）、１０７−１〜１０７−Ｍ  復号化部（復号化処理手段）、１０７ａ−１〜１０７ａ−Ｊ  復号化部（復号化処理手段）、１０８  可変パラレル／シリアル変換部（Ｐ／Ｓ変換手段、第２のＰ／Ｓ変換手段）、１０９−１〜１０９−Ｊ  Ｐ／Ｓ部（第１のＰ／Ｓ変換手段）、１１０−１〜１１０−Ｍ  周波数偏差補正部（補正手段）、１２１−１〜１２１−Ｍ  拡散符号選択部（拡散符号選択手段）、１３１  拡散符号発生部（相関処理手段）、１３２−１〜１３２−Ｍ  相関処理部（相関処理手段）、１３３−１〜１３３−Ｍ  復号化部（復号化処理手段）、１４１  姿勢・位置情報検出部（パイロット変調手段）、１４２  パイロット変調部（パイロット変調手段）、１４３  伝送速度判定部（マルチレート制御手段）。
【図１】
2006352677.tif 000003
【図２】
2006352677.tif 000004
【図３】
2006352677.tif 000005
【図４】
2006352677.tif 000006
【図５】
2006352677.tif 000007
【図６】
2006352677.tif 000008
【図７】
2006352677.tif 000009
【図８】
2006352677.tif 000010
【図９】
2006352677.tif 000011
【図１０】
2006352677.tif 000012
【図１１】
2006352677.tif 000013